(57)【要約】  ＴＶ放送の受信機器をテレビのチューナから外部入力用の装置に切り換えた場合であっても、それまで受信していた番組を継続して視聴することが可能なテレビ等を提供する。テレビ（１３１）は、外部入力用の機器として選択されたＤＶＤレコーダ（１０１）に出力開始指示コマンドを送信する（Ｓｔｅｐ２０１）。ＤＶＤレコーダ（１０１）は、出力開始指示コマンドを受信すると、テレビ（１３１）に出力開始通知コマンドを返信する（Ｓｔｅｐ２０２）。テレビ（１３１）は、出力開始通知コマンドを受信すると、映像音声データの入力経路をＤＶＤレコーダ（１０１）に切り換え（Ｓｔｅｐ２０３）、それまで視聴していたチャンネルを示す情報を含む選局コマンドをＤＶＤレコーダ(１０１）に送信する（Ｓｔｅｐ２０４）。ＤＶＤレコーダ（１０１）は、選局コマンドを受信すると、チューナ（１０３）の選局を選局コマンドのチャンネル情報が示すチャンネルに変更する。
2007097355.tif 000002
【特許請求の範囲】
【請求項１】
放送波を受信する第１チューナを備える放送番組表示装置であって、当該放送番組表示装置には、前記放送波を受信する第２チューナを備える記録再生装置が接続されており、
前記第１チューナを介して受信した放送波に含まれる複数の放送番組の中から、当該放送番組表示装置において再生中の放送番組のチャンネルを特定する制御手段と、
当該放送番組表示装置における前記放送番組に対応する映像音声データの入力経路を、前記第１チューナから前記記録再生装置に切り換えることを示す第１切換指示を受信する操作入力手段と、
受け付けた前記第１切換指示に従って、当該放送番組表示装置における前記入力経路を変更する入力切換手段と、
前記制御手段において特定された前記チャンネルを示すチャンネル情報を含む選局コマンドを、切り換え後の入力経路に係る記録再生装置に送信するコマンド入出力手段と、
切り換え後の前記入力経路に係る前記記録再生装置から前記チャンネル情報が示すチャンネルに対応する映像音声データを受信し、再生のためのデータ処理を行うデータ処理手段と
を備えることを特徴とする放送番組表示装置。
【請求項２】
前記コマンド入出力手段は、
赤外線信号によって、前記選局コマンドを前記記録再生装置に送信する赤外線送信部を備える
ことを特徴とする請求項１記載の放送番組表示装置。
【請求項３】
前記コマンド入出力手段は、さらに、
前記選局コマンドを送信する前に、前記記録再生装置に対して映像音声データの出力を促す出力開始指示コマンドを送信する
ことを特徴とする請求項１記載の放送番組表示装置。
【請求項４】
前記コマンド入出力手段は、さらに、
前記出力開始指示コマンドの送信後に、前記記録再生装置から前記出力開始指示コマンドに対する応答である出力開始通知コマンドが受信された場合に、前記選局コマンドを送信する
ことを特徴とする請求項３記載の放送番組表示装置。
【請求項５】
前記コマンド入出力手段は、さらに、
前記選局コマンドを送信した後に、前記記録再生装置に対して映像音声データの出力を促す出力開始指示コマンドを送信する
ことを特徴とする請求項１記載の放送番組表示装置。
【請求項６】
前記放送番組表示装置は、さらに、
無線ＬＡＮによって前記記録再生装置に接続されている
ことを特徴とする請求項１記載の放送番組表示装置。
【請求項７】
前記放送番組表示装置は、さらに、
前記記録再生装置から放送番組に係る映像音声データを受信するデータ入力手段を備え、
データ処理手段は、さらに、受信した前記映像音声データに対して再生のためのデータ処理を行い、
前記操作入力手段は、さらに、前記映像音声データの入力経路を前記記録再生装置から前記第１チューナに切り換えることを示す第２切換指示を受信し、
前記コマンド入出力手段は、さらに、前記記録再生装置に対して、当該記録再生装置において選局されている放送番組のチャンネルを示すチャンネル情報を含む選局コマンドの送信を要求する選局送信指示コマンドを送信すると共に、当該記録再生装置から前記選局コマンドを受信し、
前記制御手段は、さらに、受信した前記選局コマンドから前記記録再生装置において再生中の放送番組のチャンネルを特定し、当該特定したチャンネルに合うように前記第１チューナのチャンネルを変更し、
前記入力切換手段は、さらに、受信した前記第２切換指示に従い、前記入力経路を前記記録再生装置から前記第１チューナに切り換える
ことを特徴とする請求項１記載の放送番組表示装置。
【請求項８】
放送波を受信する第１チューナを備える放送番組表示装置と、前記放送波を受信する第２チューナを備える記録再生装置とを有する放送番組表示システムであって、
前記記録再生装置は前記放送番組表示装置に接続されており、
前記放送番組表示装置は、
当該放送番組表示装置における放送番組の受信経路を、前記第１チューナから前記記録再生装置に、又は前記記録再生装置から前記第１チューナに切り換えることを示す切換指示を受信する操作入力手段と、
前記切換指示に応じて、前記第１チューナを介して受信した放送波に含まれる複数の放送番組の中から当該放送番組表示装置において再生中の放送番組のチャンネルを特定し、又は、前記記録再生装置に対して当該記録再生装置において選局されている放送番組のチャンネルを示すチャンネル情報を含む選局コマンドの送信を要求する制御手段と、
前記制御手段において特定された前記チャンネルを示すチャンネル情報を含む選局コマンドを切り換え後の入力経路に係る記録再生装置に送信し、又は切り換え前の前記記録再生装置から前記選局コマンドを受信するコマンド入出力手段と、
受け付けた前記切換指示に従って、当該放送番組表示装置における入力経路を変更する入力切換手段と、
切り換え後の前記入力経路に係る前記記録再生装置から映像音声データを受信し、又は前記第１チューナから前記特定されたチャンネルに係る映像音声データを受信して再生のためのデータ処理を行うデータ処理手段とを備える
ことを特徴とする放送番組表示システム。
【請求項９】
前記放送番組表示システムにおける前記記録再生装置は、
（１）前記放送番組表示装置から、当該記録再生装置において選局されている放送番組のチャンネルを示すチャンネル情報を含む選局コマンドの送信を要求する選局送信指示コマンドを受信した場合に、前記放送番組表示装置に前記選局コマンドを送信し、又は（２）前記放送番組表示装置から選局コマンドを受信するコマンド入出力手段と、
（１）前記放送番組表示装置から前記選局送信指示コマンドを受信した場合に前記第２チューナを介して受信した放送波に含まれる複数の放送番組の中から当該放送番組のチャンネルを特定して当該特定されたチャンネル情報を含む選局コマンドを前記放送番組表示装置に送信し、又は（２）前記放送番組表示装置から選局コマンドを受信した場合に当該選局コマンドから放送番組のチャンネルを特定して前記第２チューナのチャンネルを変更する制御手段とを備える
ことを特徴とする請求の範囲８記載の放送番組表示システム。
【請求項１０】
放送波を受信する第１チューナを備える放送番組表示装置と前記放送波を受信する第２チューナを備える記録再生装置とを有する放送番組表示システムにおける放送番組表示方法であって、前記記録再生装置は前記放送番組表示装置に接続されており、
前記第１チューナ又は前記第２チューナを介して受信した放送波に含まれる複数の放送番組の中から、前記放送番組表示装置が再生中の放送番組のチャンネルを特定する制御ステップと、
前記放送番組表示装置における前記放送番組の受信経路を、前記第１チューナから前記記録再生装置に、又は前記記録再生装置から前記第１チューナに切り換えることを示す第１切換指示を受信する操作入力ステップと、
受け付けた前記第１切換指示に従って、前記放送番組表示装置における入力経路を変更する入力切換ステップと、
前記制御ステップにおいて特定された前記チャンネルを示すチャンネル情報を、切り換え後の入力経路に係る前記記録再生装置又は前記第１チューナに送信するコマンド入出力ステップと、
切り換え後の前記入力経路に係る前記記録再生装置又は前記第１チューナから前記チャンネル情報が示すチャンネルに対応する映像音声データを受信して再生のためのデータ処理を行うデータ処理ステップと
を含むことを特徴とする放送番組表示方法。
【請求項１１】
放送波を受信する第１チューナを備える放送番組表示装置に用いられる、コンピュータに実行させるためのプログラムであって、当該放送番組表示装置には、前記放送波を受信する第２チューナを備える記録再生装置が接続されており、
前記プログラムは、
前記第１チューナを介して受信した放送波に含まれる複数の放送番組の中から、当該放送番組表示装置において再生中の放送番組のチャンネルを特定する制御ステップと、
当該放送番組表示装置における前記放送番組に対応する映像音声データの入力経路を、前記第１チューナから前記記録再生装置に切り換えることを示す第１切換指示を受信する操作入力ステップと、
受け付けた前記第１切換指示に従って、当該放送番組表示装置における前記入力経路を変更する入力切換ステップと、
前記制御ステップにおいて特定された前記チャンネルを示すチャンネル情報を含む選局コマンドを、切り換え後の入力経路に係る記録再生装置に送信するコマンド入出力ステップと、
切り換え後の前記入力経路に係る前記記録再生装置から前記チャンネル情報が示すチャンネルに対応する映像音声データを受信し、再生のためのデータ処理を行うデータ処理ステップと
を含むことを特徴とするプログラム。
【請求項１２】
放送波を受信する第１チューナを備える放送番組表示装置に用いられる集積回路であって、前記放送番組表示装置には、前記放送波を受信する第２チューナを備える記録再生装置が接続されており、
前記集積回路は、
前記第１チューナを介して受信した放送波に含まれる複数の放送番組の中から、当該放送番組表示装置において再生中の放送番組のチャンネルを特定する制御手段と、
当該放送番組表示装置における前記放送番組に対応する映像音声データの入力経路を、前記第１チューナから前記記録再生装置に切り換えることを示す第１切換指示を受信する操作入力手段と、
受け付けた前記第１切換指示に従って、当該放送番組表示装置における前記入力経路を変更する入力切換手段と、
前記制御手段において特定された前記チャンネルを示すチャンネル情報を含む選局コマンドを、切り換え後の入力経路に係る記録再生装置に送信するコマンド入出力手段と、
切り換え後の前記入力経路に係る前記記録再生装置から前記チャンネル情報が示すチャンネルに対応する映像音声データを受信し、再生のためのデータ処理を行うデータ処理手段とを備える
ことを特徴とする集積回路。
【請求項１３】
放送波を受信する第２チューナを備える記録再生装置に用いられる集積回路であって、前記記録再生装置には、前記放送波を受信する第１チューナを備える放送番組表示装置が接続されており、
前記集積回路は、
（１）前記放送番組表示装置から、当該記録再生装置において選局されている放送番組のチャンネルを示すチャンネル情報を含む選局コマンドの送信を要求する選局送信指示コマンドを受信した場合に前記放送番組表示装置に前記選局コマンドを送信し、又は（２）前記放送番組表示装置から前記選局コマンドを受信するコマンド入出力手段と、
（１）前記放送番組表示装置から前記選局送信指示コマンドを受信した場合に前記第２チューナを介して受信した放送波に含まれる複数の放送番組の中から当該放送番組のチャンネルを特定して当該特定されたチャンネル情報を含む選局コマンドを前記放送番組表示装置に送信し、又は（２）前記放送番組表示装置から選局コマンドを受信した場合に当該選局コマンドから放送番組のチャンネルを特定して前記第２チューナのチャンネルを変更する制御手段とを備える
ことを特徴とする集積回路。
【発明の詳細な説明】
【技術分野】
【０００１】
本発明は、無線放送又は有線放送の番組を受信して再生する際の選局制御技術に関し、特に、共に無線放送等の番組を受信して再生し得る放送番組表示装置および記録再生装置において、受信経路に拘らず同一番組の継続視聴を可能とする選局制御技術に関する。
【背景技術】
【０００２】
一般に、テレビ受像機（以下「テレビ」という。）は、ＴＶ放送（「テレビ放送」とも記す。）を受信して視聴するだけでなく、ＶＴＲ（Video Tape Recorder）やＤＶＤレコーダのようなビデオ機器を接続し、それらの機器で再生したコンテンツを提示したり、接続した家庭用ゲーム機を介してゲームコンテンツの提示を行う。そのため、テレビにはＴＶ放送を受信するためのアンテナ端子に加えて、１個もしくは複数個の外部入力端子が備えられていることが多い。ユーザは、目的に応じて、これらの外部入力をリモコンや本体上のボタンなどを用いて切り換えている。【０００３】
また、一般にビデオ機器にはチューナが搭載されており、ＴＶ放送の受信が可能な場合が多く、蓄積コンテンツの再生を行っていない場合は、受信したＴＶ放送をテレビ等の表示装置に出力するのが一般的である。そのため、テレビの外部入力をビデオ機器等に切り換えても、ＴＶ放送を視聴することは可能である。【０００４】
そこで、テレビとビデオ機器との間でやり取りするコマンドを用いて、自動的にテレビにおける映像音声データの入力経路を（例えば、内蔵のチューナから外部入力端子に接続されているビデオ機器に）切り換える装置や方法等について規格化がなされている。【０００５】
例えば、テレビやビデオ機器などが連携して動作するためのコマンドが規定されている（例えば、非特許文献１を参照）。これによると、例えばビデオ機器が再生を開始した時に、ビデオ機器はテレビに出力開始通知コマンドを発行することで、自動的にテレビの外部入力をビデオ機器に切り換え、ビデオ機器において再生したコンテンツをテレビ上で表示させることができる。【０００６】
また、ユーザからの操作により、テレビで視聴したいビデオ機器が選択された時に、テレビからそのビデオ機器に出力開始指示コマンドを送ると、そのビデオ機器からテレビに出力開始通知コマンドが発行される。このようなコマンドのやり取りによって、テレビの外部入力をビデオ機器に切り換え、ビデオ機器が再生したコンテンツをテレビ上で表示させることができる。【０００７】
さらに、テレビとビデオ機器との間に、リピータ機器や入力切換機器（セレクタ）が接続されている場合であっても、リピータ機器や入力切換機器が出力開始通知コマンドなどに正しく応答することで、ビデオ機器が再生したコンテンツをテレビ上に表示させることが可能となる。
【非特許文献１】ＨＤＭＩ−ＣＥＣ規格（Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．２）
【発明の開示】
【発明が解決しようとする課題】
【０００８】
しかしながら、従来技術においては、以下のような問題がある。つまり、テレビにおける外部入力を、例えばビデオ機器に切り換えた時には（一般的なテレビのリモコンなどによる手動入力切換であっても、上記非特許文献１に記載されている自動入力切換であってもよい）、ビデオ機器において設定されているテレビ番組のチャンネルが、それまでテレビで視聴していたテレビ番組のチャンネルとは必ずしも一致しない場合がある。この場合、同じ番組を視聴したいユーザは、外部入力を切り換えた後に（又は切り換える前に）、ビデオ機器のチャンネルを修正（又は設定）しなければならず、非常に煩雑である。【０００９】
本発明は、上記の問題点に鑑みてなされたものであり、ＴＶ放送の受信機器を放送番組表示装置（テレビ）のチューナから外部入力用の記録再生装置（ビデオ機器）に切り換えた場合であっても、それまで放送番組表示装置で受信していた番組と同じ番組を継続して視聴することが可能な放送番組表示装置を提供することを第１の目的とする。【００１０】
さらに、本発明は、ＴＶ放送の受信機器を、外部入力用の機器である記録再生装置から放送番組表示装置のチューナに切り換えた場合であっても、それまで記録再生装置で受信していた番組と同じ番組を継続して視聴することが可能な放送番組表示装置を提供することを第２の目的とする。
【課題を解決するための手段】
【００１１】
上述した課題を解決するために、本発明に放送番組表示装置は、放送波を受信する第１チューナを備える放送番組表示装置であって、当該放送番組表示装置には、前記放送波を受信する第２チューナを備える記録再生装置が接続されており、前記第１チューナを介して受信した放送波に含まれる複数の放送番組の中から、当該放送番組表示装置において再生中の放送番組のチャンネルを特定する制御手段と、当該放送番組表示装置における前記放送番組に対応する映像音声データの入力経路を、前記第１チューナから前記記録再生装置に切り換えることを示す第１切換指示を受信する操作入力手段と、受け付けた前記第１切換指示に従って、当該放送番組表示装置における前記入力経路を変更する入力切換手段と、前記制御手段において特定された前記チャンネルを示すチャンネル情報を含む選局コマンドを、切り換え後の入力経路に係る記録再生装置に送信するコマンド入出力手段と、切り換え後の前記入力経路に係る前記記録再生装置から前記チャンネル情報が示すチャンネルに対応する映像音声データを受信し、再生のためのデータ処理を行うデータ処理手段とを備える。【００１２】
これにより、ＴＶ放送の受信機器を、放送番組表示装置のチューナから外部入力用の記録再生装置に切り換えた場合であっても、それまで放送番組表示装置で受信していた番組と同じ番組を継続して視聴することが可能となる。【００１３】
また、前記コマンド入出力手段は、赤外線信号によって前記選局コマンドを前記記録再生装置に送信する赤外線送信部を備えることとしてもよい。【００１４】
また、前記コマンド入出力手段は、さらに、前記選局コマンドを送信する前に、前記記録再生装置に対して映像音声データの出力を促す出力開始指示コマンドを送信することとしてもよい。【００１５】
また、前記コマンド入出力手段は、さらに、前記出力開始指示コマンドの送信後に、前記記録再生装置から前記出力開始指示コマンドに対する応答である出力開始通知コマンドが受信された場合に、前記選局コマンドを送信することとしてもよい。【００１６】
また、前記コマンド入出力手段は、さらに、前記選局コマンドを送信した後に、前記記録再生装置に対して映像音声データの出力を促す出力開始指示コマンドを送信することとしてもよい。【００１７】
また、前記放送番組表示装置は、さらに、無線ＬＡＮによって前記記録再生装置に接続されていてもよい。【００１８】
さらに、前記放送番組表示装置は、前記記録再生装置から放送番組に係る映像音声データを受信するデータ入力手段を備え、データ処理手段は、さらに、受信した前記映像音声データに対して再生のためのデータ処理を行い、前記操作入力手段は、さらに、前記映像音声データの入力経路を前記記録再生装置から前記第１チューナに切り換えることを示す第２切換指示を受信し、前記コマンド入出力手段は、さらに、前記記録再生装置に対して、当該記録再生装置において選局されている放送番組のチャンネルを示すチャンネル情報を含む選局コマンドの送信を要求する選局送信指示コマンドを送信すると共に、当該記録再生装置から前記選局コマンドを受信し、前記制御手段は、さらに、受信した前記選局コマンドから前記記録再生装置において再生中の放送番組のチャンネルを特定し、当該特定したチャンネルに合うように前記第１チューナのチャンネルを変更し、前記入力切換手段は、さらに、受信した前記第２切換指示に従い、前記入力経路を前記記録再生装置から前記第１チューナに切り換えることを特徴とする。【００１９】
これにより、ＴＶ放送の受信機器を、外部入力用の記録再生装置から放送番組表示装置のチューナに切り換えた場合であっても、それまで記録再生装置で受信していた番組と同じ番組を放送番組表示装置で継続して視聴することが可能となる。【００２０】
なお、本発明は、上記放送番組表示装置又は記録再生装置における特徴的な構成手段をステップとする放送番組表示方法若しくは放送番組再生方法、又は集積回路として実現したり、上記方法の各々のステップをパーソナルコンピュータ等に実行させるプログラムとして実現することもできる。そして、そのプログラムをＤＶＤ等の記録媒体やインターネット等の伝送媒体を介して広く流通させることができるのは云うまでもない。【００２１】
さらに、本発明は、上記放送番組表示装置と記録再生装置とを有する放送番組表示システムとして実現することもできる。
【発明の効果】
【００２２】
本発明により、放送番組表示装置（テレビ）のＴＶ放送の受信機器を外部入力用の記録再生装置（ビデオ機器）に切り換えた場合であっても、それまで放送番組表示装置で受信していた番組と同じ番組を継続して視聴することができる。【００２３】
さらに、本発明は、ＴＶ放送の受信機器を、外部入力用の機器である記録再生装置から放送番組表示装置に切り換えた場合であっても、それまで記録再生装置で受信していた番組と同じ番組を継続して視聴することができる。
【図面の簡単な説明】
【００２４】
【図１】図１は、実施の形態１の放送番組表示システムにおけるテレビおよびＤＶＤレコーダの機能構成の一例を示すブロック図である。
【図２】図２は、実施の形態１におけるテレビにおいて、外部入力用の機器としてＤＶＤレコーダを選択した時のテレビおよびＤＶＤレコーダの動作を示す通信シーケンス図である。
【図３】図３は、実施の形態１におけるテレビの表示部に表示される画面の遷移例を示す図である。
【図４】図４は、実施の形態２におけるテレビにおいて、外部入力用の機器としてＤＶＤレコーダを選択した時のテレビおよびＤＶＤレコーダの動作を示す通信シーケンス図である。
【図５】図５は、実施の形態３におけるテレビにおいて、外部入力用の機器としてＤＶＤレコーダを選択した時のテレビおよびＤＶＤレコーダの動作を示す通信シーケンス図である。
【符号の説明】
【００２５】
１００    放送番組表示システム
１０１    ＤＶＤレコーダ
１０２    制御部
１０３    チューナ
１０４    記録再生部
１０５    エンコーダ
１０６    デコーダ
１０７    操作入力部
１０８    スイッチ
１０９    データ出力Ｉ／Ｆ
１１０    コマンド出力Ｉ／Ｆ
１１１    ＤＶＤ−ＲＡＭディスク
１１２    データ処理部
１１３    アンテナ
１１４    集積回路
１２１    アンテナ
１２２    データ用ケーブル
１２３    コマンド用ケーブル
１３１    テレビ
１３２    表示部
１３３    スピーカ
１３４    制御部
１３５    データ処理部
１３６    チューナ
１３７    スイッチ
１３８    操作入力部
１３９    データ入力Ｉ／Ｆ
１４０    コマンド入力Ｉ／Ｆ
１４１    集積回路
【発明を実施するための最良の形態】
【００２６】
以下、本発明に係る実施の形態について、図面を参照しながら説明する。なお、本発明について、以下の実施の形態および添付の図面を用いて説明を行うが、これは例示を目的としており、本発明がこれらに限定されることを意図しない。例えば、下記のテレビは放送番組表示装置の一例であり、ＤＶＤレコーダは記録再生装置の一例である。【００２７】
（実施の形態１）
以下、本実施の形態における放送番組表示システム１００について、図１から図３を参照しながら説明する。図１に示されるように、放送番組表示システム１００は、ＤＶＤレコーダ１０１とテレビ１３１を有する。図１は、放送番組表示システム１００におけるテレビ１３１とＤＶＤレコーダ１０１の機能構成を示すブロック図である。【００２８】
図１に示されるように、ＤＶＤレコーダ１０１は、アンテナ１１３を介して受信した放送波を復調して映像音声データを抽出してテレビ１３１に出力する機能、およびＤＶＤ−ＲＡＭディスク１１１に映像音声データを記録し、又はＤＶＤ−ＲＡＭディスク１１１から読み出した映像音声データを再生する機能を備える装置であり、制御部１０２、チューナ１０３、記録再生部１０４、エンコーダ１０５、デコーダ１０６、操作入力部１０７、スイッチ１０８、データ出力インタフェース（以下「Ｉ／Ｆ」と記す）１０９、コマンド入出力Ｉ／Ｆ１１０、データ処理部１１２およびアンテナ１１３を備える。【００２９】
制御部１０２は、例えばＲＡＭや制御プログラムを記憶するＲＯＭなどを備えるマイクロコンピュータであり、ＤＶＤレコーダ１０１全体を制御する。さらに、制御部１０２は、操作入力部１０７を介して受け付けたユーザの指示に基づいて各部を制御する。加えて、制御部１０２は、必要なコマンドを生成してコマンド入出力Ｉ／Ｆ１１０に出力し、さらに、コマンド入出力Ｉ／Ｆ１１０を介してテレビ１３１から受信したコマンドを解析し、この解析内容に応じて各部を制御する。具体的には、制御部１０２は、テレビ１３１から受信した選局コマンドに含まれるチャンネル情報に合うようにチューナ１０３に対して放送番組のチャンネルの設定（又は変更）を指示したり、チューナ１０３において設定されているチャンネルを特定し、チャンネル情報を含む選局コマンドを生成してコマンド入出力Ｉ／Ｆ１１０を介してテレビ１３１に出力したりする。さらにまた、制御部１０２は、スイッチ１０８を制御し、データ出力Ｉ／Ｆ１０９に出力する映像音声データの入力経路を制御する。【００３０】
チューナ１０３は、アンテナ１１３を介してＴＶ放送波を受信して復調やエラー訂正等を行い、ユーザから選択されたチャンネルの映像音声データをエンコーダ１０５及びスイッチ１０８に出力する。記録再生部１０４は、エンコーダ１０５によって符号化されたデータのＤＶＤ−ＲＡＭディスク１１１への記録、又はＤＶＤ−ＲＡＭディスク１１１からデータを読み出してデコーダ１０６に出力する。【００３１】
エンコーダ１０５は、チューナ１０３から受信した映像音声データに対して、ＭＰＥＧ等の規格に従って符号化処理を行う。また、デコーダ１０６は、ＭＰＥＧ等の規格に従って符号化されたデータについて復号化処理を行う。【００３２】
操作入力部１０７は、例えばリモコンや操作ボタン等（図示せず）を介してユーザからの指示を受け付け、当該指示を示す情報を制御部１０２に通知する。【００３３】
スイッチ１０８は、データ処理部１１２に出力する映像音声データの入力経路の切り換えを行う。この際、切り換えの対象となるデータは、チューナ１０３から受信した映像音声データと記録再生部１０４によって読み出されたＤＶＤ−ＲＡＭディスク１１１に記録されている映像音声データである。なお、スイッチ１０８は、制御部１０２の指示によって上記切り換えを行う。【００３４】
データ出力Ｉ／Ｆ１０９は、データ処理部１１２から受信した映像音声データを、データ用ケーブル１２２を介してテレビ１３１に出力する。【００３５】
コマンド入出力Ｉ／Ｆ１１０は、制御部１０２の指示に従い、コマンド用ケーブル１２３を介してテレビ１３１（具体的には、コマンド入出力Ｉ／Ｆ１４０）とコマンドのやり取りを行う。【００３６】
データ処理部１１２は、スイッチ１０８を介して入力した映像音声データをデータ出力Ｉ／Ｆ１０９に出力する。このとき、データ処理部１１２は、制御部１０２からの指示に応じて、チューナ１０３が受信しているチャンネルの番号を表示するためのデータを追加するなど、出力する映像音声データに加工を加えることも行う。【００３７】
一方、テレビ１３１は、チューナを介して受信した放送波を復調して放送番組等を再生するテレビジョン受像機であり、表示部１３２、スピーカ１３３、制御部１３４、データ処理部１３５、チューナ１３６、スイッチ１３７、操作入力部１３８、データ入力Ｉ／Ｆ１３９およびコマンド入出力Ｉ／Ｆ１４０を備える。なお、上記ＤＶＤレコーダ１０１のデータ出力Ｉ／Ｆ１０９とテレビ１３１のデータ入力Ｉ／Ｆ１３９はデータ用ケーブル１２２で接続されている。また、ＤＶＤレコーダ１０１のコマンド入出力Ｉ／Ｆ１１０とテレビ１３１のコマンド入出力Ｉ／Ｆ１４０はコマンド用ケーブル１２３で接続されている。【００３８】
表示部１３２は、例えば液晶パネルであり、データ処理部１３５から受信した映像データに従って画像を表示する。スピーカ１３３は、データ処理部１３５から受信した音声データを音声に変換する。【００３９】
制御部１３４は、例えばＲＡＭや制御プログラムを記憶するＲＯＭなどを備えるマイクロコンピュータであり、テレビ１３１全体を制御する。さらに、制御部１３４は、操作入力部１３８を介して受け付けたユーザの指示に基づいて各部を制御する。加えて、制御部１３４は、必要なコマンドを生成してコマンド入出力Ｉ／Ｆ１４０に出力し、さらに、コマンド入出力Ｉ／Ｆ１４０を介してＤＶＤレコーダ１０１から受信したコマンドを解析し、この解析内容に応じて各部を制御する。具体的には、制御部１３４は、ＤＶＤレコーダ１０１から受信した選局コマンドに含まれるチャンネル情報に合うようにチューナ１３６に対して放送番組のチャンネルの設定（又は変更）を指示したり、チューナ１３６において設定されているチャンネルを特定し、チャンネル情報を含む選局コマンドを生成してコマンド入出力Ｉ／Ｆ１４０を介してＤＶＤレコーダ１０１に出力したりする。さらにまた、制御部１３４は、スイッチ１３７を制御し、データ処理部１３５に出力する映像音声データの入力経路を制御する。【００４０】
データ処理部１３５は、スイッチ１３７を介して受け付けた映像音声データから映像データを分離して表示部１３２に出力する。さらに、データ処理部１３５は、スイッチ１３７を介して受け付けた映像音声データから音声データを分離してスピーカ１３３に出力する。【００４１】
チューナ１３６は、アンテナ１２１を介してテレビ放送波を受信して復調やエラー訂正等を行い、ユーザから選択されたチャンネルの映像音声データをスイッチ１３７に出力する。なお、チューナ１３６は、上記ＤＶＤレコーダ１０１におけるチューナ１０３と同等の機能を有する。【００４２】
スイッチ１３７は、制御部１３４の指示に従ってデータ処理部１３５に出力する映像音声データを選択する。具体的には、スイッチ１３７は、制御部１３４の指示に従い、データ入力Ｉ／Ｆ１３９を介して受信した映像音声データおよびチューナ１３６を介して受信した映像音声データの一方を選択する。【００４３】
操作入力部１３８は、例えばリモコンやスイッチ等（図示せず）を介して、ユーザから、ＴＶ放送についての選局や映像音声データの入力経路についての切換指示等を受け付け、これらの指示を示す情報を制御部１３４に通知する。【００４４】
データ入力Ｉ／Ｆ１３９は、データ用ケーブル１２２を介してＤＶＤレコーダ１０１のデータ出力Ｉ／Ｆ１０９から映像音声データを受け付け、スイッチ１３７に出力する。また、コマンド入出力Ｉ／Ｆ１４０は、上記ＤＶＤレコーダ１０１におけるコマンド入出力Ｉ／Ｆ１１０と同等の機能を有する。【００４５】
次に、上記のように構成されるテレビ１３１において、外部入力用の機器の１つとしてＤＶＤレコーダ１０１が接続されている場合の動作について説明する。【００４６】
図２は、テレビ１３１において、外部入力用の機器としてＤＶＤレコーダ１０１が選択された時の、ＤＶＤレコーダ１０１およびテレビ１３１の動作を示す通信シーケンス図である。また、図３は、その際にテレビ１３１の表示部１３２に表示される画面の遷移例である。【００４７】
テレビ１３１は、本発明における放送番組表示装置の一例であり、また、ＤＶＤレコーダ１０１は、放送番組表示装置に接続される記録再生装置の一例である。【００４８】
なお、テレビ１３１において、外部入力用の機器としてＤＶＤレコーダ１０１が選択された場合の動作について説明する前に、ＤＶＤレコーダ１０１およびテレビ１３１の動作について説明する。【００４９】
（１）ＤＶＤレコーダ１０１の動作
操作入力部１０７は、ユーザの操作を介して「再生開始」や「再生停止」など、様々な指示を受け付け、その指示を表す情報を制御部１０２に送信する。なお、この操作入力部１０７には、ＤＶＤレコーダ１０１の本体前面等に設けられている操作ボタンを含んでいてもよいし、ユーザが操作するリモコンから赤外線信号などの指示信号を受け付ける受光器を含んでいてもよい。【００５０】
制御部１０２は、操作入力部１０７から受信した指示内容に応じて、ＤＶＤレコーダ１０１の各部分の動作を制御する。【００５１】
以下、記録も再生も行っていない場合（放送波の受信装置として）の動作、記録動作、再生動作およびコマンド送受信動作について説明する。【００５２】
（ａ）記録も再生も行っていない場合（放送波の受信装置として）の動作
チューナ１０３は、アンテナ１１３で受信したＴＶ放送波の復調等を行った後、選局されているチャンネルの映像音声データを取り出し、エンコーダ１０５とスイッチ１０８に出力する。【００５３】
スイッチ１０８は、記録動作もしくは再生動作を行っていない場合には、チューナ１０３から受け取った映像音声データをデータ処理部１１２に出力する。【００５４】
データ処理部１１２は、スイッチ１０８から受け取った映像音声データをデータ出力Ｉ／Ｆ１０９に出力する。このとき、データ処理部１１２は、制御部１０２の指示に応じて、例えば受信チャンネル番号表示を追加するなど、出力する映像音声データを加工してもよい。【００５５】
データ出力Ｉ／Ｆ１０９は、データ処理部１１２から受け取った映像音声データを、データ用ケーブル１２２を通してテレビ１３１に出力する。【００５６】
操作入力部１０７は、ユーザから、受信するチャンネルを特定する選局指示を受け付け、制御部１０２に出力する。【００５７】
制御部１０２は、操作入力部１０７を通してユーザによる選局指示を受け付けると、チューナ１０３に選局指示に対応するチャンネル情報を通知する。これにより、チューナ１０３は、通知されたチャンネル情報によって特定されたチャンネルの映像音声データをスイッチ１０８に出力する。【００５８】
なお、チューナ１０３で受信した映像音声データをそのまま出力した画面のことを、以降「ＥＥ画面」と呼ぶことにする。【００５９】
（ｂ）記録動作
制御部１０２は、操作入力部１０７を通してユーザによる録画指示を受け取ると、エンコーダ１０５および記録再生部１０４に、選局されているチャンネルの映像音声データの記録を指示する。【００６０】
エンコーダ１０５は、チューナ１０３から受け取った映像音声データを、ＤＶＤ−ＲＡＭディスク１１１の記録に適したデータに変換し、記録再生部１０４に出力する。記録に適したデータとは、例えばＭＰＥＧ２―ＰＳ（Program Stream）形式のデータである。【００６１】
記録再生部１０４は、受け取ったデータをＤＶＤ−ＲＡＭディスク１１１に記録する。【００６２】
このときスイッチ１０８の入力は、チューナ１０３のままであり、データ出力Ｉ／Ｆ１０９からはＥＥ画面に係る映像音声データが出力される。【００６３】
（ｃ）再生動作
制御部１０２は、操作入力部１０７を通してユーザによる再生開始指示を受け取ると、デコーダ１０６および記録再生部１０４に、ＤＶＤ−ＲＡＭディスク１１１から指定されたコンテンツを読み出し、デコーダ１０６に出力するように指示する。また、制御部１０２は、スイッチ１０８に、映像音声データの入力経路をデコーダ１０６に変更するように指示する。【００６４】
スイッチ１０８は、制御部１０２から上記の指示を受け付けると、映像音声データの入力経路をデコーダ１０６に変更する。【００６５】
記録再生部１０４は、ＤＶＤ−ＲＡＭディスク１１１から指定されたコンテンツのデータを読み出し、デコーダ１０６に出力する。【００６６】
デコーダ１０６は、受け取ったデータを映像音声データに変換し、スイッチ１０８に出力する。【００６７】
スイッチ１０８は、デコーダ１０６受け取った映像音声データを、データ処理部１１２に出力する。【００６８】
データ処理部１１２は、スイッチ１０８から受け取った映像音声データをデータ出力Ｉ／Ｆ１０９に出力する。このとき、データ処理部１１２は、制御部１０２からの指示に応じて、例えば「再生」という文字表示の追加等のために、出力する映像音声データを加工してもよい。【００６９】
データ出力Ｉ／Ｆ１０９は、データ処理部１１２から受け取った映像音声データを、データ用ケーブル１２２を通してテレビ１３１に出力する。【００７０】
また、制御部１０２は、操作入力部１０７を通してユーザによる再生停止指示を受け取ると、デコーダ１０６および記録再生部１０４に、ＤＶＤ−ＲＡＭディスク１１１からの再生を停止するように指示する。また、制御部１０２は、スイッチ１０８に、入力経路をチューナ１０３に変更するように指示する。【００７１】
ＤＶＤ−ＲＡＭディスク１１１の再生が終了すると、ＤＶＤレコーダ１０１は、記録も再生もしていない状態に戻り、データ出力Ｉ／Ｆ１０９からはＥＥ画面に係る映像音声データが出力される。【００７２】
（ｄ）コマンド送受信動作
コマンド入出力Ｉ／Ｆ１１０は、コマンド用ケーブル１２３を介してテレビ１３１から受信した出力開始指示コマンドを制御部１０２に送信する。制御部１０２は、出力開始指示コマンドを受け取ると、コマンド入出力Ｉ／Ｆ１１０に出力開始通知コマンドの送信を指示する。これにより、コマンド入出力Ｉ／Ｆ１１０は、出力開始通知コマンドを、コマンド用ケーブル１２３を介してテレビ１３１に送信する。【００７３】
さらに、コマンド入出力Ｉ／Ｆ１１０は、コマンド用ケーブル１２３を介してテレビ１３１から受信した選局コマンドを制御部１０２に送信する。制御部１０２は、受信した選局コマンドに基づいて、放送番組の選局を行うようにチューナ１０３に指示する。【００７４】
具体的には、制御部１０２は、受信した選局コマンドに、例えば「１０ｃｈ」を示すチャンネル情報が含まれている場合には、チューナ１０３に対して、「１０ｃｈ」を選局するように指示する。【００７５】
（２）テレビ１３１の動作
操作入力部１３８は、ユーザの操作により、「入力切換」、「選局」および「外部入力機器選択」など、様々な指示を受け付ける。なお、操作入力部１３８には、テレビ１３１の本体に設置されている操作ボタンが含まれていてもよいし、ユーザが操作するリモコンから赤外線信号などの指示信号を受け付ける受光器を含んでいてもよい。【００７６】
操作入力部１３８は、ユーザからの指示を受け付けると、その指示を表す指示情報を制御部１３４に出力する。制御部１３４は、この指示情報の内容に応じてテレビ１３１の各部分の動作を制御する。【００７７】
以下、テレビ１３１における手動入力切換動作、ＴＶ放送視聴動作、自動入力切換動作およびコマンド送受信動作について説明する。【００７８】
（ａ）手動入力切換動作モード
制御部１３４は、操作入力部１３８を介してユーザによる入力切換指示を受け取ると、スイッチ１３７に入力経路を切り換える指示を送る。例えば、チューナ１３６からスイッチ１３７を介してデータ処理部１３５に映像音声データが出力されているときに、制御部１３４から、データ入力Ｉ／Ｆ１３９に入力経路を切り換える指示を受け付けると、スイッチ１３７は、データ入力Ｉ／Ｆ１３９から受け取った映像音声データをデータ処理部１３５に出力するように入力経路を切り換える。【００７９】
（ｂ）ＴＶ放送視聴動作モード
スイッチ１３７における入力経路がチューナ１３６に設定されている場合がＴＶ放送視聴動作モードである。【００８０】
チューナ１３６は、アンテナ１２１を介して受信したＴＶ放送波の復調等を行った後、選局されているチャンネルの映像音声データを取り出し、スイッチ１３７に出力する。スイッチ１３７は、チューナ１３６から受け取った映像音声データをデータ処理部１３５に出力する。【００８１】
データ処理部１３５は、スイッチ１３７から受け取った映像音声データのうち、映像データを表示部１３２に出力し、音声データをスピーカ１３３に出力する。このとき、データ処理部１３５は、制御部１３４からの指示に応じて、出力する映像データを加工（例えば、映像データに受信中のチャンネル番号を表示するための映像データを追加）してもよい。【００８２】
（ｃ）自動入力切換動作
コマンド入出力Ｉ／Ｆ１４０は、コマンド用ケーブル１２３を介してＤＶＤレコーダ１０１からコマンドを受け取ると、制御部１３４に出力する。【００８３】
制御部１３４は、コマンド入出力Ｉ／Ｆ１４０から受け取ったコマンドが出力開始通知コマンドである場合は、スイッチ１３７に、入力経路をデータ入力Ｉ／Ｆ１３９に切り換える指示を送信する。これにより、スイッチ１３７は、映像音声データの入力経路をデータ入力Ｉ／Ｆ１３９に切り換える。【００８４】
（ｄ）コマンド送信動作
制御部１３４は、必要に応じて、コマンド入出力Ｉ／Ｆ１４０に対して、コマンド送信指示を送信する。【００８５】
コマンド入出力Ｉ／Ｆ１４０は、制御部１３４からコマンド送信指示を受け取ると、コマンド用ケーブル１２３を介してＤＶＤレコーダ１０１に指定されたコマンドを送信する。送信するコマンドとしては、例えば、相手の機器（この場合は、ＤＶＤレコーダ１０１）に対し、指定したチャンネルを選局するように指示する選局コマンドがある。【００８６】
（３）テレビ１３１で外部入力用の機器としてＤＶＤレコーダ１０１が選択された場合の動作
次に、テレビ１３１で外部入力用の機器としてＤＶＤレコーダ１０１が選択された場合のＤＶＤレコーダ１０１およびテレビ１３１の動作、並びにテレビ１３１の表示画面の遷移の様子について、図２および図３を用いて説明する。【００８７】
まず、テレビ１３１における映像音声データの入力経路はチューナ１３６に設定されており、チューナ１３６で受信したＴＶ放送がユーザに提示されているものとする。このとき、チューナ１３６では、受信している放送番組のチャンネルとして「１０ｃｈ」が選局されているものとする。【００８８】
また、ＤＶＤレコーダ１０１は、再生も記録も行っておらず、スイッチ１０８における入力経路はチューナ１０３に設定されているものとする。さらに、チューナ１０３では、放送番組のチャンネルとして「４ｃｈ」が設定されているものとする。【００８９】
最初に、テレビ１３１において、ユーザの指示によって外部入力用の機器としてＤＶＤレコーダ１０１が選択されると（Ｓｔｅｐ２００）、テレビ１３１は、ＤＶＤレコーダ１０１に出力開始指示コマンドを送信する（Ｓｔｅｐ２０１）。【００９０】
次に、ＤＶＤレコーダ１０１は、出力開始指示コマンドを受け取ると、テレビ１３１に出力開始通知コマンドを送信する（Ｓｔｅｐ２０２）。【００９１】
テレビ１３１は、ＤＶＤレコーダ１０１から出力開始通知コマンドを受け取ると、スイッチ１３７における入力経路をデータ入力Ｉ／Ｆ１３９に切り換える（Ｓｔｅｐ２０３）。【００９２】
さらにテレビ１３１は、ＤＶＤレコーダ１０１に、選局コマンドを送信する（Ｓｔｅｐ２０４）。このとき、選局コマンドには、チューナ１３６で選局されているチャンネルを示すチャンネル情報（図２の例では「１０ｃｈ」）が含まれている。【００９３】
この後、ＤＶＤレコーダ１０１は、テレビ１３１から選局コマンドを受け取ると、チューナ１０３における放送番組の選局を「１０ｃｈ」に設定し（Ｓｔｅｐ２０５）、「１０ｃｈ」の放送番組の映像音声データをテレビ１３１に送信する（Ｓｔｅｐ２０６）。【００９４】
以上の動作において、テレビ１３１に表示される画面は図３のようになる。すなわち、初期状態では、テレビ１３１が内蔵するチューナ１３６で受信した番組（１０ｃｈ）が視聴されており、ユーザによってＤＶＤレコーダ１０１が外部入力用の機器として選択されると、テレビ１３１における映像音声データの入力経路はＤＶＤレコーダ１０１に切り換わる（Ｓｔｅｐ２０３）と同時に、ＤＶＤレコーダ１０１のチューナ１０３で受信される放送番組のチャンネルがテレビ１３１と同じ「１０ｃｈ」に変更される（Ｓｔｅｐ２０５）。【００９５】
以上のように、本実施の形態に係る放送番組表示装置によれば、映像音声データの入力経路を内蔵するチューナから外部入力用の記録再生装置（ＤＶＤレコーダ１０１）に切り換えても、当該放送番組表示装置（テレビ１３１）で視聴していた番組を継続して視聴することができる。【００９６】
なお、上記図２に示す通信シーケンス図において、チューナ１０３およびチューナ１３６で選局されたチャンネル番号は一例である。【００９７】
また、上記ＤＶＤレコーダ１０１において、データ出力Ｉ／Ｆ１０９から映像音声データの出力を開始する実際のタイミングは、出力開始通知コマンドの送信と同時でも構わないし、テレビ１３１における映像音声データの入力先がＤＶＤレコーダ１０１に切り換わった（即ち、スイッチ１３７の入力経路がデータ入力Ｉ／Ｆ１３９に切り換わった）時点でも構わない。さらに、映像音声データをデータ出力Ｉ／Ｆ１０９から常時出力するようにしても構わない。【００９８】
（実施の形態２）
上記実施の形態１では、テレビ１３１からＤＶＤレコーダ１０１に「出力開始指示コマンド」を送信した後に「選局コマンド」を送信する実施例について説明したが、本実施の形態では、先に「選局コマンド」を送信し、その後に「出力開始指示コマンド」を送信する実施例について説明する。なお、本実施の形態に係るテレビ１３１及びＤＶＤレコーダ１０１の機能構成は、基本的に上記実施の形態１に係るものと同じである。【００９９】
図４は、本実施の形態に係る、テレビ１３１において外部入力用の機器としてＤＶＤレコーダ１０１を選択した時のテレビ１３１およびＤＶＤレコーダ１０１の動作を示す通信シーケンス図である。【０１００】
まず、初期状態として、テレビ１３１の映像音声データの入力経路は、チューナ１３６に設定されており、チューナ１３６で受信したＴＶ放送を視聴しているものとする。このとき、チューナ１３６ではチャンネルとして「１０ｃｈ」が選局されているものとする。【０１０１】
また、ＤＶＤレコーダ１０１は、再生も記録も行っておらず、スイッチ１０８はチューナ１０３に接続されているものとし、チューナ１０３ではチャンネルとして「４ｃｈ」が選局されているものとする。【０１０２】
最初に、テレビ１３１において、ユーザから外部入力用の機器として「ＤＶＤレコーダ」が選択されると（Ｓｔｅｐ４００）、ＤＶＤレコーダ１０１に対して選局コマンドを送信する（Ｓｔｅｐ４０１）。このとき、選局コマンドには、チューナ１３６で選局されているチャンネル情報（図４の例では１０ｃｈ）がパラメータとして含まれている。【０１０３】
次に、ＤＶＤレコーダ１０１は、選局コマンドを受信すると、選局コマンドに含まれるチャンネル情報（１０ｃｈ）に応じてチューナ１０３の選局を変更する（Ｓｔｅｐ４０２）。【０１０４】
さらに、テレビ１３１は、上記選局コマンドを送信してから一定時間（例えば、０．１秒）経過後、ＤＶＤレコーダ１０１に「出力開始指示コマンド」を送信する（Ｓｔｅｐ４０３）。ＤＶＤレコーダ１０１は、出力開始指示コマンドを受け取ると、テレビ１３１に出力開始通知コマンドを返信する（Ｓｔｅｐ４０４）。【０１０５】
出力開始通知コマンドを受信したテレビ１３１は、スイッチ１３７の入力経路をデータ入力Ｉ／Ｆ１３９に切り換え（Ｓｔｅｐ４０５）、ＤＶＤレコーダ１０１に入力経路の切換が完了したことを示す「切換完了コマンド」を送信する（Ｓｔｅｐ４０６）。【０１０６】
この後、ＤＶＤレコーダ１０１は、テレビ１３１に映像音声データを送信する（Ｓｔｅｐ４０７）。なお、上記のテレビ１３１からＤＶＤレコーダ１０１への切換完了コマンドの送信（Ｓｔｅｐ４０６）は、省略してもよい。【０１０７】
以上の動作において、テレビ１３１に表示される画面は、上記実施の形態１と同様の図３のようになる。すなわち、初期状態では、テレビ１３１には内蔵するチューナ１３６で受信した番組（１０ｃｈ）が表示されており、ユーザからＤＶＤレコーダ１０１が外部入力用の機器として選択されると、ＤＶＤレコーダ１０１のチューナ１０３の選局がテレビ１３１と同じ「１０ｃｈ」に変更される（図４のＳｔｅｐ４０２）と共に、テレビ１３１の入力経路がＤＶＤレコーダ１０１に切り換わる（図４のＳｔｅｐ４０５）。【０１０８】
以上のように、チューナを有する外部入力用の機器を切り換えた場合でも、元々テレビ１３１で視聴していた番組を継続して視聴することができるようになる。【０１０９】
なお、上記図４の通信シーケンス図において、チューナ１０３およびチューナ１３６で選局される番組は別のチャンネルであっても構わない。【０１１０】
また、ＤＶＤレコーダ１０１における、データ出力Ｉ／Ｆ１０９から映像音声データの出力を開始する実際のタイミングは、出力開始通知コマンドの送信と同時でも構わないし、出力開始通知コマンドの送信から一定時間経過後でも構わないし、テレビ１３１における映像音声データの入力先がＤＶＤレコーダ１０１に切り替わった（すなわちスイッチ１３７の入力経路がデータ入力Ｉ／Ｆ１３９に切り替わった）時点でも構わないし、もしくは映像音声データをデータ出力Ｉ／Ｆ１０９に常時出力していても構わない。【０１１１】
（実施の形態３）
上記実施の形態１および実施の形態２では、テレビ１３１において、その入力経路を内蔵するチューナ１３６からＤＶＤレコーダ１０１に切り換えた場合でも継続して同じ番組を視聴し得る実施例について説明したが、本実施の形態では、逆に、ＤＶＤレコーダ１０１から当該テレビ１３１が内蔵するチューナ１３６に入力経路を切り換えた場合においても、継続して同じ番組を視聴し得る実施例について説明する。なお、本実施の形態に係るテレビ１３１及びＤＶＤレコーダ１０１の各部は、上記実施の形態１における各機能に加え、さらに、以下の機能を有する。【０１１２】
制御部１３４は、操作入力部１３８を介して、ＤＶＤレコーダからテレビに（即ち、データ入力Ｉ／Ｆ１３９からチューナ１３６に入力経路を）切り換える指示を受け付けると、スイッチ１３７に対して、チューナ１３６に入力経路を切り換えるように指示する。その際、制御部１３４は、コマンド入出力Ｉ／Ｆ１４０を介してＤＶＤレコーダ１０１に「選局送信指示コマンド」を送信し、コマンド入出力Ｉ／Ｆ１４０を介して「選局コマンド」をＤＶＤレコーダ１０１から受信する。この選局コマンドには、ＤＶＤレコーダ１０１のチューナ１０３において選局されていたチャンネルを示すチャンネル情報が含まれている。さらに、制御部１３４は、ＤＶＤレコーダ１０１から受信した選局コマンドに含まれているチャンネル情報に基づいて選局を変更するようにチューナ１３６に指示する。【０１１３】
図５は、本実施の形態に係るテレビ１３１において、外部入力用のＤＶＤレコーダ１０１から内蔵するチューナ１３６に入力経路を切り換えた時のテレビ１３１およびＤＶＤレコーダ１０１の動作を示す通信シーケンス図である。【０１１４】
まず、初期状態として、テレビ１３１の映像音声データの入力経路は、ＤＶＤレコーダ１０１に設定されており、テレビ１３１は、ＤＶＤレコーダ１０１のチューナ１０３で受信したＴＶ放送を視聴しているものとする（Ｓｔｅｐ５００）。このとき、チューナ１０３では、チャンネルとして「１０ｃｈ」が選局されているものとする。【０１１５】
また、テレビ１３１のスイッチ１３７は、データ入力Ｉ／Ｆ１３９に接続されているものとし、チューナ１３６では、チャンネルとして「４ｃｈ」が選局されているものとする。【０１１６】
最初に、テレビ１３１において、ユーザから入力経路として「テレビ」が選択されると（Ｓｔｅｐ５０１）、制御部１３４は、ＤＶＤレコーダ１０１に対して「選局送信指示コマンド」を送信する（Ｓｔｅｐ５０２）。【０１１７】
これにより、ＤＶＤレコーダ１０１の制御部１０２は、チューナ１０３に設定されている「ＣＨ＝１０」を示すチャンネル情報を含む選局コマンドを生成し、生成した選局コマンドをテレビ１３１（即ち、コマンド入出力Ｉ／Ｆ１１０）に送信する（Ｓｔｅｐ５０３）。【０１１８】
ＤＶＤレコーダ１０１から選局コマンドを受信したテレビ１３１は、受信した選局コマンドに含まれるチャンネル情報に基づいて、チューナ１３６の選局を「１０ｃｈ」に変更し（Ｓｔｅｐ５０４）、スイッチ１３７の入力経路をチューナ１３６に切り換える（Ｓｔｅｐ５０５）。【０１１９】
以上の動作において、テレビ１３１の入力経路を「ＤＶＤレコーダ」から「テレビ」（即ち、内蔵するチューナ１３６）に変更した場合でも、ＤＶＤレコーダ１０１で視聴されていた番組を継続して視聴することが可能となる。【０１２０】
なお、上記図５の通信シーケンス図においても、チューナ１０３およびチューナ１３６で選局されている番組は、上記の実施例とは別のチャンネルであっても構わない。【０１２１】
さらに、上記実施の形態１〜３におけるＤＶＤレコーダ１０１は、外部入力用の機器と接続するための外部入力Ｉ／Ｆを保有し、外部入力用の機器から入力した映像音声データと、チューナ１０３で受信したＴＶ放送とを切り換えられるようになっていてもよい。【０１２２】
また、上記実施の形態１〜３に係るＤＶＤレコーダ１０１で記録再生する記録媒体は、ＤＶＤ−ＲＡＭディスクではなく、ＤＶＤ−Ｒディスクなど他のリムーバブルメディアや、ハードディスクのような固定メディアであってもよいし、一種類もしくは複数種類の記録媒体の記録再生を行える記録再生装置であってもよい。また、ＤＶＤレコーダの代わりに、エンコーダを有せず、ＤＶＤ−ＲＡＭなどの記録メディアの再生のみを行うＤＶＤプレーヤなどの再生専用装置であってもよい。【０１２３】
また、本発明に係る記録再生装置は、記録機能を有するＤＶＤレコーダ１０１ではなく、記録機能を有しないＤＶＤプレーヤやセットトップボックスであっても構わない。【０１２４】
また、テレビ１３１には、データ入力Ｉ／Ｆが一つ備わっているとしたが、二つ以上備わっていてもよい。これらのデータ入力Ｉ／Ｆは、同一の種類であってもよいし、異なっていてもよい。さらに、データ入力Ｉ／Ｆに同時に接続できる機器は１台であってもよいし、複数台であってもよい。要するに、コマンド入出力Ｉ／Ｆ１４０で受け取ったコマンドの送信元の機器が特定でき、かつテレビ１３１の入力経路をコマンドの送信元の機器に切り換えられる形態であればよい。【０１２５】
また、データ用ケーブル１２２およびコマンド用ケーブル１２３は、一本のケーブル、もしくは複数本のケーブルであってもよいし、複数本の信号線を束ねて一本のケーブルにしたものでもよい。また、ケーブルではなく、赤外線などの無線信号で伝送するようになっていてもよい。【０１２６】
なお、本発明は、図１に示すように、上記放送番組表示装置における特徴的な構成手段を備える集積回路１４１（一点鎖線で囲った範囲）として実現したり、上記記録再生装置における特徴的な構成手段を備える集積回路１１４（一点鎖線で囲った範囲）として実現することができる。
【産業上の利用可能性】
【０１２７】
本発明は、放送番組表示装置（テレビ）における映像音声データの入力先を記録再生装置に切り換えた時に、記録再生装置で、それまで放送番組表示装置で視聴していたものと同じ番組を自動的に視聴できるようにする放送番組表示装置を提供することができる。
【図１】
2007097355.tif 000003
【図２】
2007097355.tif 000004
【図３】
2007097355.tif 000005
【図４】
2007097355.tif 000006
【図５】
2007097355.tif 000007
【手続補正書】
【提出日】平成19年7月24日(2007.7.24)
【手続補正１】
【補正対象書類名】特許請求の範囲
【補正対象項目名】全文
【補正方法】変更
【補正の内容】
【特許請求の範囲】
【請求項１】
放送波を受信する第１チューナを備える放送番組表示装置であって、当該放送番組表示装置には、前記放送波を受信する第２チューナを備える記録再生装置が接続されており、
前記第１チューナを介して受信した放送波に含まれる複数の放送番組の中から、当該放送番組表示装置において再生中の放送番組のチャンネルを特定する制御手段と、
当該放送番組表示装置における前記放送番組に対応する映像音声データの入力経路を、前記第１チューナから前記記録再生装置に切り換えることを示す第１切換指示を受信する操作入力手段と、
受信した前記第１切換指示に従って、当該放送番組表示装置における前記入力経路を変更する入力切換手段と、
前記制御手段において特定された前記チャンネルを示すチャンネル情報を含む選局コマンドを、切り換え後の入力経路に係る記録再生装置に送信するコマンド入出力手段と、
切り換え後の前記入力経路に係る前記記録再生装置から前記チャンネル情報が示すチャンネルに対応する映像音声データを受信し、再生のためのデータ処理を行うデータ処理手段とを備え、
前記コマンド入出力手段は、さらに、前記選局コマンドを送信する前に、
前記記録再生装置に対して映像音声データの出力を促す出力開始指示コマンドを送信し、当該出力開始指示コマンドの送信後に、前記記録再生装置から前記出力開始指示コマンドに対する応答である出力開始通知コマンドを受信した場合に、前記第１切換指示を前記入力切換手段に送信する
ことを特徴とする放送番組表示装置。
【請求項２】
前記コマンド入出力手段は、
赤外線信号によって、前記選局コマンドを前記記録再生装置に送信する赤外線送信部を備える
ことを特徴とする請求項１記載の放送番組表示装置。
【請求項３】
（削除）
【請求項４】
（削除）
【請求項５】
前記放送番組表示装置には、さらに、切換インタフェース装置が接続されており、
前記切換インタフェース装置は、前記記録再生装置とは異なる１又は複数の他の記録再生装置との接続が可能であり、
前記放送番組表示装置における前記制御手段は、さらに、当該放送番組表示装置における前記入力経路を、前記第１チューナから前記切換インタフェース装置に切り換えることを示す第２出力開始通知コマンドを受信し、
前記放送番組表示装置における前記入力切換手段は、さらに、前記第２出力開始通知コマンドに従って、当該放送番組表示装置における前記入力経路を前記切換インタフェース装置に変更し、
前記切換インタフェース装置は、
前記第２出力開始通知コマンドを受信する第２コマンド入出力手段と、
前記他の記録再生装置から前記第２出力開始通知コマンドを受け取った場合には、前記放送番組表示装置における前記入力経路を前記第１チューナから前記他の記録再生装置に切り換える第２入力切換手段と、
前記他の記録再生装置から出力された映像音声データを前記放送番組表示装置の前記入力切換手段に送信するデータ入力手段とを備える
ことを特徴とする請求項１記載の放送番組表示装置。
【請求項６】
前記放送番組表示装置は、さらに、
無線ＬＡＮによって前記記録再生装置に接続されている
ことを特徴とする請求項１記載の放送番組表示装置。
【請求項７】
前記放送番組表示装置は、さらに、
前記記録再生装置から放送番組に係る映像音声データを受信するデータ入力手段を備え、
データ処理手段は、さらに、受信した前記映像音声データに対して再生のためのデータ処理を行い、
前記操作入力手段は、さらに、前記映像音声データの入力経路を前記記録再生装置から前記第１チューナに切り換えることを示す第２切換指示を受信し、
前記コマンド入出力手段は、さらに、前記記録再生装置に対して、当該記録再生装置において選局されている放送番組のチャンネルを示すチャンネル情報を含む選局コマンドの送信を要求する選局送信指示コマンドを送信すると共に、当該記録再生装置から前記選局コマンドを受信し、
前記制御手段は、さらに、受信した前記選局コマンドから前記記録再生装置において再生中の放送番組のチャンネルを特定し、当該特定したチャンネルに合うように前記第１チューナのチャンネルを変更し、
前記入力切換手段は、さらに、受信した前記第２切換指示に従い、前記入力経路を前記記録再生装置から前記第１チューナに切り換える
ことを特徴とする請求項１記載の放送番組表示装置。
【請求項８】
放送波を受信する第１チューナを備える放送番組表示装置と、前記放送波を受信する第２チューナを備える記録再生装置とを有する放送番組表示システムであって、
前記記録再生装置は前記放送番組表示装置に接続されており、
前記放送番組表示装置は、
当該放送番組表示装置における放送番組の受信経路を、前記第１チューナから前記記録再生装置に、又は前記記録再生装置から前記第１チューナに切り換えることを示す切換指示を受信する操作入力手段と、
前記切換指示に応じて、前記第１チューナを介して受信した放送波に含まれる複数の放送番組の中から当該放送番組表示装置において再生中の放送番組のチャンネルを特定し、又は、前記記録再生装置に対して当該記録再生装置において選局されている放送番組のチャンネルを示すチャンネル情報を含む選局コマンドの送信を要求する制御手段と、
前記制御手段において特定された前記チャンネルを示すチャンネル情報を含む選局コマンドを切り換え後の入力経路に係る記録再生装置に送信し、又は切り換え前の前記記録再生装置から前記選局コマンドを受信するコマンド入出力手段と、
受信した前記切換指示に従って、当該放送番組表示装置における入力経路を変更する入力切換手段と、
切り換え後の前記入力経路に係る前記記録再生装置から映像音声データを受信し、又は前記第１チューナから前記特定されたチャンネルに係る映像音声データを受信して再生のためのデータ処理を行うデータ処理手段とを備える
ことを特徴とする放送番組表示システム。
【請求項９】
前記放送番組表示システムにおける前記記録再生装置は、
（１）前記放送番組表示装置から、当該記録再生装置において選局されている放送番組のチャンネルを示すチャンネル情報を含む選局コマンドの送信を要求する選局送信指示コマンドを受信した場合に、前記放送番組表示装置に前記選局コマンドを送信し、又は（２）前記放送番組表示装置から選局コマンドを受信するコマンド入出力手段と、
（１）前記放送番組表示装置から前記選局送信指示コマンドを受信した場合に前記第２チューナを介して受信した放送波に含まれる複数の放送番組の中から当該放送番組のチャンネルを特定して当該特定されたチャンネル情報を含む選局コマンドを前記放送番組表示装置に送信し、又は（２）前記放送番組表示装置から選局コマンドを受信した場合に当該選局コマンドから放送番組のチャンネルを特定して前記第２チューナのチャンネルを変更する制御手段とを備える
ことを特徴とする請求の範囲８記載の放送番組表示システム。
【請求項１０】
放送波を受信する第１チューナを備える放送番組表示装置と前記放送波を受信する第２チューナを備える記録再生装置とを有する放送番組表示システムにおける放送番組表示方法であって、前記記録再生装置は前記放送番組表示装置に接続されており、
前記第１チューナ又は前記第２チューナを介して受信した放送波に含まれる複数の放送番組の中から、前記放送番組表示装置が再生中の放送番組のチャンネルを特定する制御手段における制御ステップと、
前記放送番組表示装置における前記放送番組の受信経路を、前記第１チューナから前記記録再生装置に、又は前記記録再生装置から前記第１チューナに切り換えることを示す第１切換指示を受信する操作入力手段における操作入力ステップと、
受信した前記第１切換指示に従って、前記放送番組表示装置における入力経路を変更する入力切換手段における入力切換ステップと、
前記制御ステップにおいて特定された前記チャンネルを示すチャンネル情報を、切り換え後の入力経路に係る前記記録再生装置又は前記第１チューナに送信するコマンド入出力手段におけるコマンド入出力ステップと、
切り換え後の前記入力経路に係る前記記録再生装置又は前記第１チューナから前記チャンネル情報が示すチャンネルに対応する映像音声データを受信して再生のためのデータ処理を行うデータ処理手段におけるデータ処理ステップとを含み、
前記コマンド入出力ステップでは、さらに、前記選局コマンドを送信する前に、
前記記録再生装置に対して映像音声データの出力を促す出力開始指示コマンドを送信し、当該出力開始指示コマンドの送信後に、前記記録再生装置から前記出力開始指示コマンドに対する応答である出力開始通知コマンドを受信した場合に、前記第１切換指示を前記入力切換手段に送信する
ことを特徴とする放送番組表示方法。
【請求項１１】
放送波を受信する第１チューナを備える放送番組表示装置に用いられる、コンピュータに実行させるためのプログラムであって、当該放送番組表示装置には、前記放送波を受信する第２チューナを備える記録再生装置が接続されており、
前記プログラムは、
前記第１チューナを介して受信した放送波に含まれる複数の放送番組の中から、当該放送番組表示装置において再生中の放送番組のチャンネルを特定する制御手段における制御ステップと、
当該放送番組表示装置における前記放送番組に対応する映像音声データの入力経路を、前記第１チューナから前記記録再生装置に切り換えることを示す第１切換指示を受信する操作入力手段における操作入力ステップと、
受信した前記第１切換指示に従って、当該放送番組表示装置における前記入力経路を変更する入力切換手段における入力切換ステップと、
前記制御ステップにおいて特定された前記チャンネルを示すチャンネル情報を含む選局コマンドを、切り換え後の入力経路に係る記録再生装置に送信するコマンド入出力手段におけるコマンド入出力ステップと、
切り換え後の前記入力経路に係る前記記録再生装置から前記チャンネル情報が示すチャンネルに対応する映像音声データを受信し、再生のためのデータ処理を行うデータ処理手段におけるデータ処理ステップとを含み、
前記コマンド入出力ステップでは、さらに、前記選局コマンドを送信する前に、
前記記録再生装置に対して映像音声データの出力を促す出力開始指示コマンドを送信し、当該出力開始指示コマンドの送信後に、前記記録再生装置から前記出力開始指示コマンドに対する応答である出力開始通知コマンドを受信した場合に、前記第１切換指示を前記入力切換手段に送信する
ことを特徴とするプログラム。
【請求項１２】
放送波を受信する第１チューナを備える放送番組表示装置に用いられる集積回路であって、前記放送番組表示装置には、前記放送波を受信する第２チューナを備える記録再生装置が接続されており、
前記集積回路は、
前記第１チューナを介して受信した放送波に含まれる複数の放送番組の中から、当該放送番組表示装置において再生中の放送番組のチャンネルを特定する制御手段と、
当該放送番組表示装置における前記放送番組に対応する映像音声データの入力経路を、前記第１チューナから前記記録再生装置に切り換えることを示す第１切換指示を受信する操作入力手段と、
受信した前記第１切換指示に従って、当該放送番組表示装置における前記入力経路を変更する入力切換手段と、
前記制御手段において特定された前記チャンネルを示すチャンネル情報を含む選局コマンドを、切り換え後の入力経路に係る記録再生装置に送信するコマンド入出力手段と、
切り換え後の前記入力経路に係る前記記録再生装置から前記チャンネル情報が示すチャンネルに対応する映像音声データを受信し、再生のためのデータ処理を行うデータ処理手段とを備え、
前記コマンド入出力手段は、さらに、前記選局コマンドを送信する前に、
前記記録再生装置に対して映像音声データの出力を促す出力開始指示コマンドを送信し、当該出力開始指示コマンドの送信後に、前記記録再生装置から前記出力開始指示コマンドに対する応答である出力開始通知コマンドを受信した場合に、前記第１切換指示を前記入力切換手段に送信する
ことを特徴とする集積回路。
【請求項１３】
放送波を受信する第２チューナを備える記録再生装置に用いられる集積回路であって、前記記録再生装置には、前記放送波を受信する第１チューナを備える放送番組表示装置が接続されており、
前記集積回路は、
（１）前記放送番組表示装置から、当該記録再生装置において選局されている放送番組のチャンネルを示すチャンネル情報を含む選局コマンドの送信を要求する選局送信指示コマンドを受信した場合に前記放送番組表示装置に前記選局コマンドを送信し、又は（２）前記放送番組表示装置から前記選局コマンドを受信するコマンド入出力手段と、
（１）前記放送番組表示装置から前記選局送信指示コマンドを受信した場合に前記第２チューナを介して受信した放送波に含まれる複数の放送番組の中から当該放送番組のチャンネルを特定して当該特定されたチャンネル情報を含む選局コマンドを前記放送番組表示装置に送信し、又は（２）前記放送番組表示装置から選局コマンドを受信した場合に当該選局コマンドから放送番組のチャンネルを特定して前記第２チューナのチャンネルを変更する制御手段とを備える
ことを特徴とする集積回路。
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
放送波を受信する第１チューナを備える放送番組表示装置であって、当該放送番組表示装置には、前記放送波を受信する第２チューナを備える記録再生装置が接続されており、
前記第１チューナを介して受信した放送波に含まれる複数の放送番組の中から、当該放送番組表示装置において再生中の放送番組のチャンネルを特定する制御手段と、
当該放送番組表示装置における前記放送番組に対応する映像音声データの入力経路を、前記第１チューナから前記記録再生装置に切り換えることを示す第１切換指示を受信する操作入力手段と、
受信した前記第１切換指示に従って、当該放送番組表示装置における前記入力経路を変更する入力切換手段と、
前記制御手段において特定された前記チャンネルを示すチャンネル情報を含む選局コマンドを、切り換え後の入力経路に係る記録再生装置に送信するコマンド入出力手段と、
切り換え後の前記入力経路に係る前記記録再生装置から前記チャンネル情報が示すチャンネルに対応する映像音声データを受信し、再生のためのデータ処理を行うデータ処理手段とを備え、
前記コマンド入出力手段は、さらに、前記選局コマンドを送信する前に、
前記記録再生装置に対して映像音声データの出力を促す出力開始指示コマンドを送信し、当該出力開始指示コマンドの送信後に、前記記録再生装置から前記出力開始指示コマンドに対する応答である出力開始通知コマンドを受信した場合に、前記第１切換指示を前記入力切換手段に送信する
ことを特徴とする放送番組表示装置。
【請求項２】
前記コマンド入出力手段は、
赤外線信号によって、前記選局コマンドを前記記録再生装置に送信する赤外線送信部を備える
ことを特徴とする請求項１記載の放送番組表示装置。
【請求項３】
前記放送番組表示装置には、さらに、切換インタフェース装置が接続されており、
前記切換インタフェース装置は、前記記録再生装置とは異なる１又は複数の他の記録再生装置との接続が可能であり、
前記放送番組表示装置における前記制御手段は、さらに、当該放送番組表示装置における前記入力経路を、前記第１チューナから前記切換インタフェース装置に切り換えることを示す第２出力開始通知コマンドを受信し、
前記放送番組表示装置における前記入力切換手段は、さらに、前記第２出力開始通知コマンドに従って、当該放送番組表示装置における前記入力経路を前記切換インタフェース装置に変更し、
前記切換インタフェース装置は、
前記第２出力開始通知コマンドを受信する第２コマンド入出力手段と、
前記他の記録再生装置から前記第２出力開始通知コマンドを受け取った場合には、前記放送番組表示装置における前記入力経路を前記第１チューナから前記他の記録再生装置に切り換える第２入力切換手段と、
前記他の記録再生装置から出力された映像音声データを前記放送番組表示装置の前記入力切換手段に送信するデータ入力手段とを備える
ことを特徴とする請求項１記載の放送番組表示装置。
【請求項４】
前記放送番組表示装置は、さらに、
無線ＬＡＮによって前記記録再生装置に接続されている
ことを特徴とする請求項１記載の放送番組表示装置。
【請求項５】
前記放送番組表示装置は、さらに、
前記記録再生装置から放送番組に係る映像音声データを受信するデータ入力手段を備え、
データ処理手段は、さらに、受信した前記映像音声データに対して再生のためのデータ処理を行い、
前記操作入力手段は、さらに、前記映像音声データの入力経路を前記記録再生装置から前記第１チューナに切り換えることを示す第２切換指示を受信し、
前記コマンド入出力手段は、さらに、前記記録再生装置に対して、当該記録再生装置において選局されている放送番組のチャンネルを示すチャンネル情報を含む選局コマンドの送信を要求する選局送信指示コマンドを送信すると共に、当該記録再生装置から前記選局コマンドを受信し、
前記制御手段は、さらに、受信した前記選局コマンドから前記記録再生装置において再生中の放送番組のチャンネルを特定し、当該特定したチャンネルに合うように前記第１チューナのチャンネルを変更し、
前記入力切換手段は、さらに、受信した前記第２切換指示に従い、前記入力経路を前記記録再生装置から前記第１チューナに切り換える
ことを特徴とする請求項１記載の放送番組表示装置。
【請求項６】
放送波を受信する第１チューナを備える放送番組表示装置と、前記放送波を受信する第２チューナを備える記録再生装置とを有する放送番組表示システムであって、
前記記録再生装置は前記放送番組表示装置に接続されており、
前記放送番組表示装置は、
当該放送番組表示装置における放送番組の受信経路を、前記第１チューナから前記記録再生装置に、又は前記記録再生装置から前記第１チューナに切り換えることを示す切換指示を受信する操作入力手段と、
前記切換指示に応じて、前記第１チューナを介して受信した放送波に含まれる複数の放送番組の中から当該放送番組表示装置において再生中の放送番組のチャンネルを特定し、又は、前記記録再生装置に対して当該記録再生装置において選局されている放送番組のチャンネルを示すチャンネル情報を含む選局コマンドの送信を要求する制御手段と、
前記制御手段において特定された前記チャンネルを示すチャンネル情報を含む選局コマンドを切り換え後の入力経路に係る記録再生装置に送信し、又は切り換え前の前記記録再生装置から前記選局コマンドを受信するコマンド入出力手段と、
受信した前記切換指示に従って、当該放送番組表示装置における入力経路を変更する入力切換手段と、
切り換え後の前記入力経路に係る前記記録再生装置から映像音声データを受信し、又は前記第１チューナから前記特定されたチャンネルに係る映像音声データを受信して再生のためのデータ処理を行うデータ処理手段とを備える
ことを特徴とする放送番組表示システム。
【請求項７】
前記放送番組表示システムにおける前記記録再生装置は、
（１）前記放送番組表示装置から、当該記録再生装置において選局されている放送番組のチャンネルを示すチャンネル情報を含む選局コマンドの送信を要求する選局送信指示コマンドを受信した場合に、前記放送番組表示装置に前記選局コマンドを送信し、又は（２）前記放送番組表示装置から選局コマンドを受信するコマンド入出力手段と、
（１）前記放送番組表示装置から前記選局送信指示コマンドを受信した場合に前記第２チューナを介して受信した放送波に含まれる複数の放送番組の中から当該放送番組のチャンネルを特定して当該特定されたチャンネル情報を含む選局コマンドを前記放送番組表示装置に送信し、又は（２）前記放送番組表示装置から選局コマンドを受信した場合に当該選局コマンドから放送番組のチャンネルを特定して前記第２チューナのチャンネルを変更する制御手段とを備える
ことを特徴とする請求の範囲６記載の放送番組表示システム。
【請求項８】
放送波を受信する第１チューナを備える放送番組表示装置と前記放送波を受信する第２チューナを備える記録再生装置とを有する放送番組表示システムにおける放送番組表示方法であって、前記記録再生装置は前記放送番組表示装置に接続されており、
前記第１チューナ又は前記第２チューナを介して受信した放送波に含まれる複数の放送番組の中から、前記放送番組表示装置が再生中の放送番組のチャンネルを特定する制御手段における制御ステップと、
前記放送番組表示装置における前記放送番組の受信経路を、前記第１チューナから前記記録再生装置に、又は前記記録再生装置から前記第１チューナに切り換えることを示す第１切換指示を受信する操作入力手段における操作入力ステップと、
受信した前記第１切換指示に従って、前記放送番組表示装置における入力経路を変更する入力切換手段における入力切換ステップと、
前記制御ステップにおいて特定された前記チャンネルを示すチャンネル情報を、切り換え後の入力経路に係る前記記録再生装置又は前記第１チューナに送信するコマンド入出力手段におけるコマンド入出力ステップと、
切り換え後の前記入力経路に係る前記記録再生装置又は前記第１チューナから前記チャンネル情報が示すチャンネルに対応する映像音声データを受信して再生のためのデータ処理を行うデータ処理手段におけるデータ処理ステップとを含み、
前記コマンド入出力ステップでは、さらに、前記選局コマンドを送信する前に、
前記記録再生装置に対して映像音声データの出力を促す出力開始指示コマンドを送信し、当該出力開始指示コマンドの送信後に、前記記録再生装置から前記出力開始指示コマンドに対する応答である出力開始通知コマンドを受信した場合に、前記第１切換指示を前記入力切換手段に送信する
ことを特徴とする放送番組表示方法。
【請求項９】
放送波を受信する第１チューナを備える放送番組表示装置に用いられる、コンピュータに実行させるためのプログラムであって、当該放送番組表示装置には、前記放送波を受信する第２チューナを備える記録再生装置が接続されており、
前記プログラムは、
前記第１チューナを介して受信した放送波に含まれる複数の放送番組の中から、当該放送番組表示装置において再生中の放送番組のチャンネルを特定する制御手段における制御ステップと、
当該放送番組表示装置における前記放送番組に対応する映像音声データの入力経路を、前記第１チューナから前記記録再生装置に切り換えることを示す第１切換指示を受信する操作入力手段における操作入力ステップと、
受信した前記第１切換指示に従って、当該放送番組表示装置における前記入力経路を変更する入力切換手段における入力切換ステップと、
前記制御ステップにおいて特定された前記チャンネルを示すチャンネル情報を含む選局コマンドを、切り換え後の入力経路に係る記録再生装置に送信するコマンド入出力手段におけるコマンド入出力ステップと、
切り換え後の前記入力経路に係る前記記録再生装置から前記チャンネル情報が示すチャンネルに対応する映像音声データを受信し、再生のためのデータ処理を行うデータ処理手段におけるデータ処理ステップとを含み、
前記コマンド入出力ステップでは、さらに、前記選局コマンドを送信する前に、
前記記録再生装置に対して映像音声データの出力を促す出力開始指示コマンドを送信し、当該出力開始指示コマンドの送信後に、前記記録再生装置から前記出力開始指示コマンドに対する応答である出力開始通知コマンドを受信した場合に、前記第１切換指示を前記入力切換手段に送信する
ことを特徴とするプログラム。
【請求項１０】
放送波を受信する第１チューナを備える放送番組表示装置に用いられる集積回路であって、前記放送番組表示装置には、前記放送波を受信する第２チューナを備える記録再生装置が接続されており、
前記集積回路は、
前記第１チューナを介して受信した放送波に含まれる複数の放送番組の中から、当該放送番組表示装置において再生中の放送番組のチャンネルを特定する制御手段と、
当該放送番組表示装置における前記放送番組に対応する映像音声データの入力経路を、前記第１チューナから前記記録再生装置に切り換えることを示す第１切換指示を受信する操作入力手段と、
受信した前記第１切換指示に従って、当該放送番組表示装置における前記入力経路を変更する入力切換手段と、
前記制御手段において特定された前記チャンネルを示すチャンネル情報を含む選局コマンドを、切り換え後の入力経路に係る記録再生装置に送信するコマンド入出力手段と、
切り換え後の前記入力経路に係る前記記録再生装置から前記チャンネル情報が示すチャンネルに対応する映像音声データを受信し、再生のためのデータ処理を行うデータ処理手段とを備え、
前記コマンド入出力手段は、さらに、前記選局コマンドを送信する前に、
前記記録再生装置に対して映像音声データの出力を促す出力開始指示コマンドを送信し、当該出力開始指示コマンドの送信後に、前記記録再生装置から前記出力開始指示コマンドに対する応答である出力開始通知コマンドを受信した場合に、前記第１切換指示を前記入力切換手段に送信する
ことを特徴とする集積回路。
【請求項１１】
放送波を受信する第２チューナを備える記録再生装置に用いられる集積回路であって、前記記録再生装置には、前記放送波を受信する第１チューナを備える放送番組表示装置が接続されており、
前記集積回路は、
（１）前記放送番組表示装置から、当該記録再生装置において選局されている放送番組のチャンネルを示すチャンネル情報を含む選局コマンドの送信を要求する選局送信指示コマンドを受信した場合に前記放送番組表示装置に前記選局コマンドを送信し、又は（２）前記放送番組表示装置から前記選局コマンドを受信するコマンド入出力手段と、
（１）前記放送番組表示装置から前記選局送信指示コマンドを受信した場合に前記第２チューナを介して受信した放送波に含まれる複数の放送番組の中から当該放送番組のチャンネルを特定して当該特定されたチャンネル情報を含む選局コマンドを前記放送番組表示装置に送信し、又は（２）前記放送番組表示装置から選局コマンドを受信した場合に当該選局コマンドから放送番組のチャンネルを特定して前記第２チューナのチャンネルを変更する制御手段とを備える
ことを特徴とする集積回路。
【手続補正２】
【補正対象書類名】明細書
【補正対象項目名】全文
【補正方法】変更
【補正の内容】
【発明の詳細な説明】
【技術分野】
【０００１】
本発明は、無線放送又は有線放送の番組を受信して再生する際の選局制御技術に関し、特に、共に無線放送等の番組を受信して再生し得る放送番組表示装置および記録再生装置において、受信経路に拘らず同一番組の継続視聴を可能とする選局制御技術に関する。
【背景技術】
【０００２】
一般に、テレビ受像機（以下「テレビ」という。）は、ＴＶ放送（「テレビ放送」とも記す。）を受信して視聴するだけでなく、ＶＴＲ（Video Tape Recorder）やＤＶＤレコーダのようなビデオ機器を接続し、それらの機器で再生したコンテンツを提示したり、接続した家庭用ゲーム機を介してゲームコンテンツの提示を行う。そのため、テレビにはＴＶ放送を受信するためのアンテナ端子に加えて、１個もしくは複数個の外部入力端子が備えられていることが多い。ユーザは、目的に応じて、これらの外部入力をリモコンや本体上のボタンなどを用いて切り換えている。
【０００３】
また、一般にビデオ機器にはチューナが搭載されており、ＴＶ放送の受信が可能な場合が多く、蓄積コンテンツの再生を行っていない場合は、受信したＴＶ放送をテレビ等の表示装置に出力するのが一般的である。そのため、テレビの外部入力をビデオ機器等に切り換えても、ＴＶ放送を視聴することは可能である。
【０００４】
そこで、テレビとビデオ機器との間でやり取りするコマンドを用いて、自動的にテレビにおける映像音声データの入力経路を（例えば、内蔵のチューナから外部入力端子に接続されているビデオ機器に）切り換える装置や方法等について規格化がなされている。
【０００５】
例えば、テレビやビデオ機器などが連携して動作するためのコマンドが規定されている（例えば、非特許文献１を参照）。これによると、例えばビデオ機器が再生を開始した時に、ビデオ機器はテレビに出力開始通知コマンドを発行することで、自動的にテレビの外部入力をビデオ機器に切り換え、ビデオ機器において再生したコンテンツをテレビ上で表示させることができる。
【０００６】
また、ユーザからの操作により、テレビで視聴したいビデオ機器が選択された時に、テレビからそのビデオ機器に出力開始指示コマンドを送ると、そのビデオ機器からテレビに出力開始通知コマンドが発行される。このようなコマンドのやり取りによって、テレビの外部入力をビデオ機器に切り換え、ビデオ機器が再生したコンテンツをテレビ上で表示させることができる。
【０００７】
さらに、テレビとビデオ機器との間に、リピータ機器や入力切換機器（セレクタ）が接続されている場合であっても、リピータ機器や入力切換機器が出力開始通知コマンドなどに正しく応答することで、ビデオ機器が再生したコンテンツをテレビ上に表示させることが可能となる。
【非特許文献１】ＨＤＭＩ−ＣＥＣ規格（Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．２）
【発明の開示】
【発明が解決しようとする課題】
【０００８】
しかしながら、従来技術においては、以下のような問題がある。つまり、テレビにおける外部入力を、例えばビデオ機器に切り換えた時には（一般的なテレビのリモコンなどによる手動入力切換であっても、上記非特許文献１に記載されている自動入力切換であってもよい）、ビデオ機器において設定されているテレビ番組のチャンネルが、それまでテレビで視聴していたテレビ番組のチャンネルとは必ずしも一致しない場合がある。この場合、同じ番組を視聴したいユーザは、外部入力を切り換えた後に（又は切り換える前に）、ビデオ機器のチャンネルを修正（又は設定）しなければならず、非常に煩雑である。
【０００９】
本発明は、上記の問題点に鑑みてなされたものであり、ＴＶ放送の受信機器を放送番組表示装置（テレビ）のチューナから外部入力用の記録再生装置（ビデオ機器）に切り換えた場合であっても、それまで放送番組表示装置で受信していた番組と同じ番組を継続して視聴することが可能な放送番組表示装置を提供することを第１の目的とする。
【００１０】
さらに、本発明は、ＴＶ放送の受信機器を、外部入力用の機器である記録再生装置から放送番組表示装置のチューナに切り換えた場合であっても、それまで記録再生装置で受信していた番組と同じ番組を継続して視聴することが可能な放送番組表示装置を提供することを第２の目的とする。
【課題を解決するための手段】
【００１１】
上述した課題を解決するために、本発明に放送番組表示装置は、放送波を受信する第１チューナを備える放送番組表示装置であって、当該放送番組表示装置には、前記放送波を受信する第２チューナを備える記録再生装置が接続されており、前記第１チューナを介して受信した放送波に含まれる複数の放送番組の中から、当該放送番組表示装置において再生中の放送番組のチャンネルを特定する制御手段と、当該放送番組表示装置における前記放送番組に対応する映像音声データの入力経路を、前記第１チューナから前記記録再生装置に切り換えることを示す第１切換指示を受信する操作入力手段と、受け付けた前記第１切換指示に従って、当該放送番組表示装置における前記入力経路を変更する入力切換手段と、前記制御手段において特定された前記チャンネルを示すチャンネル情報を含む選局コマンドを、切り換え後の入力経路に係る記録再生装置に送信するコマンド入出力手段と、切り換え後の前記入力経路に係る前記記録再生装置から前記チャンネル情報が示すチャンネルに対応する映像音声データを受信し、再生のためのデータ処理を行うデータ処理手段とを備える。
【００１２】
これにより、ＴＶ放送の受信機器を、放送番組表示装置のチューナから外部入力用の記録再生装置に切り換えた場合であっても、それまで放送番組表示装置で受信していた番組と同じ番組を継続して視聴することが可能となる。
【００１３】
また、前記コマンド入出力手段は、赤外線信号によって前記選局コマンドを前記記録再生装置に送信する赤外線送信部を備えることとしてもよい。
【００１４】
また、前記コマンド入出力手段は、さらに、前記選局コマンドを送信する前に、前記記録再生装置に対して映像音声データの出力を促す出力開始指示コマンドを送信することとしてもよい。
【００１５】
また、前記コマンド入出力手段は、さらに、前記出力開始指示コマンドの送信後に、前記記録再生装置から前記出力開始指示コマンドに対する応答である出力開始通知コマンドが受信された場合に、前記選局コマンドを送信することとしてもよい。
【００１６】
また、前記コマンド入出力手段は、さらに、前記選局コマンドを送信した後に、前記記録再生装置に対して映像音声データの出力を促す出力開始指示コマンドを送信することとしてもよい。
【００１７】
また、前記放送番組表示装置は、さらに、無線ＬＡＮによって前記記録再生装置に接続されていてもよい。
【００１８】
さらに、前記放送番組表示装置は、前記記録再生装置から放送番組に係る映像音声データを受信するデータ入力手段を備え、データ処理手段は、さらに、受信した前記映像音声データに対して再生のためのデータ処理を行い、前記操作入力手段は、さらに、前記映像音声データの入力経路を前記記録再生装置から前記第１チューナに切り換えることを示す第２切換指示を受信し、前記コマンド入出力手段は、さらに、前記記録再生装置に対して、当該記録再生装置において選局されている放送番組のチャンネルを示すチャンネル情報を含む選局コマンドの送信を要求する選局送信指示コマンドを送信すると共に、当該記録再生装置から前記選局コマンドを受信し、前記制御手段は、さらに、受信した前記選局コマンドから前記記録再生装置において再生中の放送番組のチャンネルを特定し、当該特定したチャンネルに合うように前記第１チューナのチャンネルを変更し、前記入力切換手段は、さらに、受信した前記第２切換指示に従い、前記入力経路を前記記録再生装置から前記第１チューナに切り換えることを特徴とする。
【００１９】
これにより、ＴＶ放送の受信機器を、外部入力用の記録再生装置から放送番組表示装置のチューナに切り換えた場合であっても、それまで記録再生装置で受信していた番組と同じ番組を放送番組表示装置で継続して視聴することが可能となる。
【００２０】
なお、本発明は、上記放送番組表示装置又は記録再生装置における特徴的な構成手段をステップとする放送番組表示方法若しくは放送番組再生方法、又は集積回路として実現したり、上記方法の各々のステップをパーソナルコンピュータ等に実行させるプログラムとして実現することもできる。そして、そのプログラムをＤＶＤ等の記録媒体やインターネット等の伝送媒体を介して広く流通させることができるのは云うまでもない。
【００２１】
さらに、本発明は、上記放送番組表示装置と記録再生装置とを有する放送番組表示システムとして実現することもできる。
【発明の効果】
【００２２】
本発明により、放送番組表示装置（テレビ）のＴＶ放送の受信機器を外部入力用の記録再生装置（ビデオ機器）に切り換えた場合であっても、それまで放送番組表示装置で受信していた番組と同じ番組を継続して視聴することができる。
【００２３】
さらに、本発明は、ＴＶ放送の受信機器を、外部入力用の機器である記録再生装置から放送番組表示装置に切り換えた場合であっても、それまで記録再生装置で受信していた番組と同じ番組を継続して視聴することができる。
【発明を実施するための最良の形態】
【００２４】
以下、本発明に係る実施の形態について、図面を参照しながら説明する。なお、本発明について、以下の実施の形態および添付の図面を用いて説明を行うが、これは例示を目的としており、本発明がこれらに限定されることを意図しない。例えば、下記のテレビは放送番組表示装置の一例であり、ＤＶＤレコーダは記録再生装置の一例である。
【００２５】
（実施の形態１）
以下、本実施の形態における放送番組表示システム１００について、図１から図３を参照しながら説明する。図１に示されるように、放送番組表示システム１００は、ＤＶＤレコーダ１０１とテレビ１３１を有する。図１は、放送番組表示システム１００におけるテレビ１３１とＤＶＤレコーダ１０１の機能構成を示すブロック図である。
【００２６】
図１に示されるように、ＤＶＤレコーダ１０１は、アンテナ１１３を介して受信した放送波を復調して映像音声データを抽出してテレビ１３１に出力する機能、およびＤＶＤ−ＲＡＭディスク１１１に映像音声データを記録し、又はＤＶＤ−ＲＡＭディスク１１１から読み出した映像音声データを再生する機能を備える装置であり、制御部１０２、チューナ１０３、記録再生部１０４、エンコーダ１０５、デコーダ１０６、操作入力部１０７、スイッチ１０８、データ出力インタフェース（以下「Ｉ／Ｆ」と記す）１０９、コマンド入出力Ｉ／Ｆ１１０、データ処理部１１２およびアンテナ１１３を備える。
【００２７】
制御部１０２は、例えばＲＡＭや制御プログラムを記憶するＲＯＭなどを備えるマイクロコンピュータであり、ＤＶＤレコーダ１０１全体を制御する。さらに、制御部１０２は、操作入力部１０７を介して受け付けたユーザの指示に基づいて各部を制御する。加えて、制御部１０２は、必要なコマンドを生成してコマンド入出力Ｉ／Ｆ１１０に出力し、さらに、コマンド入出力Ｉ／Ｆ１１０を介してテレビ１３１から受信したコマンドを解析し、この解析内容に応じて各部を制御する。具体的には、制御部１０２は、テレビ１３１から受信した選局コマンドに含まれるチャンネル情報に合うようにチューナ１０３に対して放送番組のチャンネルの設定（又は変更）を指示したり、チューナ１０３において設定されているチャンネルを特定し、チャンネル情報を含む選局コマンドを生成してコマンド入出力Ｉ／Ｆ１１０を介してテレビ１３１に出力したりする。さらにまた、制御部１０２は、スイッチ１０８を制御し、データ出力Ｉ／Ｆ１０９に出力する映像音声データの入力経路を制御する。
【００２８】
チューナ１０３は、アンテナ１１３を介してＴＶ放送波を受信して復調やエラー訂正等を行い、ユーザから選択されたチャンネルの映像音声データをエンコーダ１０５及びスイッチ１０８に出力する。記録再生部１０４は、エンコーダ１０５によって符号化されたデータのＤＶＤ−ＲＡＭディスク１１１への記録、又はＤＶＤ−ＲＡＭディスク１１１からデータを読み出してデコーダ１０６に出力する。
【００２９】
エンコーダ１０５は、チューナ１０３から受信した映像音声データに対して、ＭＰＥＧ等の規格に従って符号化処理を行う。また、デコーダ１０６は、ＭＰＥＧ等の規格に従って符号化されたデータについて復号化処理を行う。
【００３０】
操作入力部１０７は、例えばリモコンや操作ボタン等（図示せず）を介してユーザからの指示を受け付け、当該指示を示す情報を制御部１０２に通知する。
【００３１】
スイッチ１０８は、データ処理部１１２に出力する映像音声データの入力経路の切り換えを行う。この際、切り換えの対象となるデータは、チューナ１０３から受信した映像音声データと記録再生部１０４によって読み出されたＤＶＤ−ＲＡＭディスク１１１に記録されている映像音声データである。なお、スイッチ１０８は、制御部１０２の指示によって上記切り換えを行う。
【００３２】
データ出力Ｉ／Ｆ１０９は、データ処理部１１２から受信した映像音声データを、データ用ケーブル１２２を介してテレビ１３１に出力する。
【００３３】
コマンド入出力Ｉ／Ｆ１１０は、制御部１０２の指示に従い、コマンド用ケーブル１２３を介してテレビ１３１（具体的には、コマンド入出力Ｉ／Ｆ１４０）とコマンドのやり取りを行う。
【００３４】
データ処理部１１２は、スイッチ１０８を介して入力した映像音声データをデータ出力Ｉ／Ｆ１０９に出力する。このとき、データ処理部１１２は、制御部１０２からの指示に応じて、チューナ１０３が受信しているチャンネルの番号を表示するためのデータを追加するなど、出力する映像音声データに加工を加えることも行う。
【００３５】
一方、テレビ１３１は、チューナを介して受信した放送波を復調して放送番組等を再生するテレビジョン受像機であり、表示部１３２、スピーカ１３３、制御部１３４、データ処理部１３５、チューナ１３６、スイッチ１３７、操作入力部１３８、データ入力Ｉ／Ｆ１３９およびコマンド入出力Ｉ／Ｆ１４０を備える。なお、上記ＤＶＤレコーダ１０１のデータ出力Ｉ／Ｆ１０９とテレビ１３１のデータ入力Ｉ／Ｆ１３９はデータ用ケーブル１２２で接続されている。また、ＤＶＤレコーダ１０１のコマンド入出力Ｉ／Ｆ１１０とテレビ１３１のコマンド入出力Ｉ／Ｆ１４０はコマンド用ケーブル１２３で接続されている。
【００３６】
表示部１３２は、例えば液晶パネルであり、データ処理部１３５から受信した映像データに従って画像を表示する。スピーカ１３３は、データ処理部１３５から受信した音声データを音声に変換する。
【００３７】
制御部１３４は、例えばＲＡＭや制御プログラムを記憶するＲＯＭなどを備えるマイクロコンピュータであり、テレビ１３１全体を制御する。さらに、制御部１３４は、操作入力部１３８を介して受け付けたユーザの指示に基づいて各部を制御する。加えて、制御部１３４は、必要なコマンドを生成してコマンド入出力Ｉ／Ｆ１４０に出力し、さらに、コマンド入出力Ｉ／Ｆ１４０を介してＤＶＤレコーダ１０１から受信したコマンドを解析し、この解析内容に応じて各部を制御する。具体的には、制御部１３４は、ＤＶＤレコーダ１０１から受信した選局コマンドに含まれるチャンネル情報に合うようにチューナ１３６に対して放送番組のチャンネルの設定（又は変更）を指示したり、チューナ１３６において設定されているチャンネルを特定し、チャンネル情報を含む選局コマンドを生成してコマンド入出力Ｉ／Ｆ１４０を介してＤＶＤレコーダ１０１に出力したりする。さらにまた、制御部１３４は、スイッチ１３７を制御し、データ処理部１３５に出力する映像音声データの入力経路を制御する。
【００３８】
データ処理部１３５は、スイッチ１３７を介して受け付けた映像音声データから映像データを分離して表示部１３２に出力する。さらに、データ処理部１３５は、スイッチ１３７を介して受け付けた映像音声データから音声データを分離してスピーカ１３３に出力する。
【００３９】
チューナ１３６は、アンテナ１２１を介してテレビ放送波を受信して復調やエラー訂正等を行い、ユーザから選択されたチャンネルの映像音声データをスイッチ１３７に出力する。なお、チューナ１３６は、上記ＤＶＤレコーダ１０１におけるチューナ１０３と同等の機能を有する。
【００４０】
スイッチ１３７は、制御部１３４の指示に従ってデータ処理部１３５に出力する映像音声データを選択する。具体的には、スイッチ１３７は、制御部１３４の指示に従い、データ入力Ｉ／Ｆ１３９を介して受信した映像音声データおよびチューナ１３６を介して受信した映像音声データの一方を選択する。
【００４１】
操作入力部１３８は、例えばリモコンやスイッチ等（図示せず）を介して、ユーザから、ＴＶ放送についての選局や映像音声データの入力経路についての切換指示等を受け付け、これらの指示を示す情報を制御部１３４に通知する。
【００４２】
データ入力Ｉ／Ｆ１３９は、データ用ケーブル１２２を介してＤＶＤレコーダ１０１のデータ出力Ｉ／Ｆ１０９から映像音声データを受け付け、スイッチ１３７に出力する。また、コマンド入出力Ｉ／Ｆ１４０は、上記ＤＶＤレコーダ１０１におけるコマンド入出力Ｉ／Ｆ１１０と同等の機能を有する。
【００４３】
次に、上記のように構成されるテレビ１３１において、外部入力用の機器の１つとしてＤＶＤレコーダ１０１が接続されている場合の動作について説明する。
【００４４】
図２は、テレビ１３１において、外部入力用の機器としてＤＶＤレコーダ１０１が選択された時の、ＤＶＤレコーダ１０１およびテレビ１３１の動作を示す通信シーケンス図である。また、図３は、その際にテレビ１３１の表示部１３２に表示される画面の遷移例である。
【００４５】
テレビ１３１は、本発明における放送番組表示装置の一例であり、また、ＤＶＤレコーダ１０１は、放送番組表示装置に接続される記録再生装置の一例である。
【００４６】
なお、テレビ１３１において、外部入力用の機器としてＤＶＤレコーダ１０１が選択された場合の動作について説明する前に、ＤＶＤレコーダ１０１およびテレビ１３１の動作について説明する。
【００４７】
（１）ＤＶＤレコーダ１０１の動作
操作入力部１０７は、ユーザの操作を介して「再生開始」や「再生停止」など、様々な指示を受け付け、その指示を表す情報を制御部１０２に送信する。なお、この操作入力部１０７には、ＤＶＤレコーダ１０１の本体前面等に設けられている操作ボタンを含んでいてもよいし、ユーザが操作するリモコンから赤外線信号などの指示信号を受け付ける受光器を含んでいてもよい。
【００４８】
制御部１０２は、操作入力部１０７から受信した指示内容に応じて、ＤＶＤレコーダ１０１の各部分の動作を制御する。
【００４９】
以下、記録も再生も行っていない場合（放送波の受信装置として）の動作、記録動作、再生動作およびコマンド送受信動作について説明する。
【００５０】
（ａ）記録も再生も行っていない場合（放送波の受信装置として）の動作
チューナ１０３は、アンテナ１１３で受信したＴＶ放送波の復調等を行った後、選局されているチャンネルの映像音声データを取り出し、エンコーダ１０５とスイッチ１０８に出力する。
【００５１】
スイッチ１０８は、記録動作もしくは再生動作を行っていない場合には、チューナ１０３から受け取った映像音声データをデータ処理部１１２に出力する。
【００５２】
データ処理部１１２は、スイッチ１０８から受け取った映像音声データをデータ出力Ｉ／Ｆ１０９に出力する。このとき、データ処理部１１２は、制御部１０２の指示に応じて、例えば受信チャンネル番号表示を追加するなど、出力する映像音声データを加工してもよい。
【００５３】
データ出力Ｉ／Ｆ１０９は、データ処理部１１２から受け取った映像音声データを、データ用ケーブル１２２を通してテレビ１３１に出力する。
【００５４】
操作入力部１０７は、ユーザから、受信するチャンネルを特定する選局指示を受け付け、制御部１０２に出力する。
【００５５】
制御部１０２は、操作入力部１０７を通してユーザによる選局指示を受け付けると、チューナ１０３に選局指示に対応するチャンネル情報を通知する。これにより、チューナ１０３は、通知されたチャンネル情報によって特定されたチャンネルの映像音声データをスイッチ１０８に出力する。
【００５６】
なお、チューナ１０３で受信した映像音声データをそのまま出力した画面のことを、以降「ＥＥ画面」と呼ぶことにする。
【００５７】
（ｂ）記録動作
制御部１０２は、操作入力部１０７を通してユーザによる録画指示を受け取ると、エンコーダ１０５および記録再生部１０４に、選局されているチャンネルの映像音声データの記録を指示する。
【００５８】
エンコーダ１０５は、チューナ１０３から受け取った映像音声データを、ＤＶＤ−ＲＡＭディスク１１１の記録に適したデータに変換し、記録再生部１０４に出力する。記録に適したデータとは、例えばＭＰＥＧ２―ＰＳ（Program Stream）形式のデータである。
【００５９】
記録再生部１０４は、受け取ったデータをＤＶＤ−ＲＡＭディスク１１１に記録する。
【００６０】
このときスイッチ１０８の入力は、チューナ１０３のままであり、データ出力Ｉ／Ｆ１０９からはＥＥ画面に係る映像音声データが出力される。
【００６１】
（ｃ）再生動作
制御部１０２は、操作入力部１０７を通してユーザによる再生開始指示を受け取ると、デコーダ１０６および記録再生部１０４に、ＤＶＤ−ＲＡＭディスク１１１から指定されたコンテンツを読み出し、デコーダ１０６に出力するように指示する。また、制御部１０２は、スイッチ１０８に、映像音声データの入力経路をデコーダ１０６に変更するように指示する。
【００６２】
スイッチ１０８は、制御部１０２から上記の指示を受け付けると、映像音声データの入力経路をデコーダ１０６に変更する。
【００６３】
記録再生部１０４は、ＤＶＤ−ＲＡＭディスク１１１から指定されたコンテンツのデータを読み出し、デコーダ１０６に出力する。
【００６４】
デコーダ１０６は、受け取ったデータを映像音声データに変換し、スイッチ１０８に出力する。
【００６５】
スイッチ１０８は、デコーダ１０６受け取った映像音声データを、データ処理部１１２に出力する。
【００６６】
データ処理部１１２は、スイッチ１０８から受け取った映像音声データをデータ出力Ｉ／Ｆ１０９に出力する。このとき、データ処理部１１２は、制御部１０２からの指示に応じて、例えば「再生」という文字表示の追加等のために、出力する映像音声データを加工してもよい。
【００６７】
データ出力Ｉ／Ｆ１０９は、データ処理部１１２から受け取った映像音声データを、データ用ケーブル１２２を通してテレビ１３１に出力する。
【００６８】
また、制御部１０２は、操作入力部１０７を通してユーザによる再生停止指示を受け取ると、デコーダ１０６および記録再生部１０４に、ＤＶＤ−ＲＡＭディスク１１１からの再生を停止するように指示する。また、制御部１０２は、スイッチ１０８に、入力経路をチューナ１０３に変更するように指示する。
【００６９】
ＤＶＤ−ＲＡＭディスク１１１の再生が終了すると、ＤＶＤレコーダ１０１は、記録も再生もしていない状態に戻り、データ出力Ｉ／Ｆ１０９からはＥＥ画面に係る映像音声データが出力される。
【００７０】
（ｄ）コマンド送受信動作
コマンド入出力Ｉ／Ｆ１１０は、コマンド用ケーブル１２３を介してテレビ１３１から受信した出力開始指示コマンドを制御部１０２に送信する。制御部１０２は、出力開始指示コマンドを受け取ると、コマンド入出力Ｉ／Ｆ１１０に出力開始通知コマンドの送信を指示する。これにより、コマンド入出力Ｉ／Ｆ１１０は、出力開始通知コマンドを、コマンド用ケーブル１２３を介してテレビ１３１に送信する。
【００７１】
さらに、コマンド入出力Ｉ／Ｆ１１０は、コマンド用ケーブル１２３を介してテレビ１３１から受信した選局コマンドを制御部１０２に送信する。制御部１０２は、受信した選局コマンドに基づいて、放送番組の選局を行うようにチューナ１０３に指示する。
【００７２】
具体的には、制御部１０２は、受信した選局コマンドに、例えば「１０ｃｈ」を示すチャンネル情報が含まれている場合には、チューナ１０３に対して、「１０ｃｈ」を選局するように指示する。
【００７３】
（２）テレビ１３１の動作
操作入力部１３８は、ユーザの操作により、「入力切換」、「選局」および「外部入力機器選択」など、様々な指示を受け付ける。なお、操作入力部１３８には、テレビ１３１の本体に設置されている操作ボタンが含まれていてもよいし、ユーザが操作するリモコンから赤外線信号などの指示信号を受け付ける受光器を含んでいてもよい。
【００７４】
操作入力部１３８は、ユーザからの指示を受け付けると、その指示を表す指示情報を制御部１３４に出力する。制御部１３４は、この指示情報の内容に応じてテレビ１３１の各部分の動作を制御する。
【００７５】
以下、テレビ１３１における手動入力切換動作、ＴＶ放送視聴動作、自動入力切換動作およびコマンド送受信動作について説明する。
【００７６】
（ａ）手動入力切換動作モード
制御部１３４は、操作入力部１３８を介してユーザによる入力切換指示を受け取ると、スイッチ１３７に入力経路を切り換える指示を送る。例えば、チューナ１３６からスイッチ１３７を介してデータ処理部１３５に映像音声データが出力されているときに、制御部１３４から、データ入力Ｉ／Ｆ１３９に入力経路を切り換える指示を受け付けると、スイッチ１３７は、データ入力Ｉ／Ｆ１３９から受け取った映像音声データをデータ処理部１３５に出力するように入力経路を切り換える。
【００７７】
（ｂ）ＴＶ放送視聴動作モード
スイッチ１３７における入力経路がチューナ１３６に設定されている場合がＴＶ放送視聴動作モードである。
【００７８】
チューナ１３６は、アンテナ１２１を介して受信したＴＶ放送波の復調等を行った後、選局されているチャンネルの映像音声データを取り出し、スイッチ１３７に出力する。スイッチ１３７は、チューナ１３６から受け取った映像音声データをデータ処理部１３５に出力する。
【００７９】
データ処理部１３５は、スイッチ１３７から受け取った映像音声データのうち、映像データを表示部１３２に出力し、音声データをスピーカ１３３に出力する。このとき、データ処理部１３５は、制御部１３４からの指示に応じて、出力する映像データを加工（例えば、映像データに受信中のチャンネル番号を表示するための映像データを追加）してもよい。
【００８０】
（ｃ）自動入力切換動作
コマンド入出力Ｉ／Ｆ１４０は、コマンド用ケーブル１２３を介してＤＶＤレコーダ１０１からコマンドを受け取ると、制御部１３４に出力する。
【００８１】
制御部１３４は、コマンド入出力Ｉ／Ｆ１４０から受け取ったコマンドが出力開始通知コマンドである場合は、スイッチ１３７に、入力経路をデータ入力Ｉ／Ｆ１３９に切り換える指示を送信する。これにより、スイッチ１３７は、映像音声データの入力経路をデータ入力Ｉ／Ｆ１３９に切り換える。
【００８２】
（ｄ）コマンド送信動作
制御部１３４は、必要に応じて、コマンド入出力Ｉ／Ｆ１４０に対して、コマンド送信指示を送信する。
【００８３】
コマンド入出力Ｉ／Ｆ１４０は、制御部１３４からコマンド送信指示を受け取ると、コマンド用ケーブル１２３を介してＤＶＤレコーダ１０１に指定されたコマンドを送信する。送信するコマンドとしては、例えば、相手の機器（この場合は、ＤＶＤレコーダ１０１）に対し、指定したチャンネルを選局するように指示する選局コマンドがある。
【００８４】
（３）テレビ１３１で外部入力用の機器としてＤＶＤレコーダ１０１が選択された場合の動作
次に、テレビ１３１で外部入力用の機器としてＤＶＤレコーダ１０１が選択された場合のＤＶＤレコーダ１０１およびテレビ１３１の動作、並びにテレビ１３１の表示画面の遷移の様子について、図２および図３を用いて説明する。
【００８５】
まず、テレビ１３１における映像音声データの入力経路はチューナ１３６に設定されており、チューナ１３６で受信したＴＶ放送がユーザに提示されているものとする。このとき、チューナ１３６では、受信している放送番組のチャンネルとして「１０ｃｈ」が選局されているものとする。
【００８６】
また、ＤＶＤレコーダ１０１は、再生も記録も行っておらず、スイッチ１０８における入力経路はチューナ１０３に設定されているものとする。さらに、チューナ１０３では、放送番組のチャンネルとして「４ｃｈ」が設定されているものとする。
【００８７】
最初に、テレビ１３１において、ユーザの指示によって外部入力用の機器としてＤＶＤレコーダ１０１が選択されると（Ｓｔｅｐ２００）、テレビ１３１は、ＤＶＤレコーダ１０１に出力開始指示コマンドを送信する（Ｓｔｅｐ２０１）。
【００８８】
次に、ＤＶＤレコーダ１０１は、出力開始指示コマンドを受け取ると、テレビ１３１に出力開始通知コマンドを送信する（Ｓｔｅｐ２０２）。
【００８９】
テレビ１３１は、ＤＶＤレコーダ１０１から出力開始通知コマンドを受け取ると、スイッチ１３７における入力経路をデータ入力Ｉ／Ｆ１３９に切り換える（Ｓｔｅｐ２０３）。
【００９０】
さらにテレビ１３１は、ＤＶＤレコーダ１０１に、選局コマンドを送信する（Ｓｔｅｐ２０４）。このとき、選局コマンドには、チューナ１３６で選局されているチャンネルを示すチャンネル情報（図２の例では「１０ｃｈ」）が含まれている。
【００９１】
この後、ＤＶＤレコーダ１０１は、テレビ１３１から選局コマンドを受け取ると、チューナ１０３における放送番組の選局を「１０ｃｈ」に設定し（Ｓｔｅｐ２０５）、「１０ｃｈ」の放送番組の映像音声データをテレビ１３１に送信する（Ｓｔｅｐ２０６）。
【００９２】
以上の動作において、テレビ１３１に表示される画面は図３のようになる。すなわち、初期状態では、テレビ１３１が内蔵するチューナ１３６で受信した番組（１０ｃｈ）が視聴されており、ユーザによってＤＶＤレコーダ１０１が外部入力用の機器として選択されると、テレビ１３１における映像音声データの入力経路はＤＶＤレコーダ１０１に切り換わる（Ｓｔｅｐ２０３）と同時に、ＤＶＤレコーダ１０１のチューナ１０３で受信される放送番組のチャンネルがテレビ１３１と同じ「１０ｃｈ」に変更される（Ｓｔｅｐ２０５）。
【００９３】
以上のように、本実施の形態に係る放送番組表示装置によれば、映像音声データの入力経路を内蔵するチューナから外部入力用の記録再生装置（ＤＶＤレコーダ１０１）に切り換えても、当該放送番組表示装置（テレビ１３１）で視聴していた番組を継続して視聴することができる。
【００９４】
なお、上記図２に示す通信シーケンス図において、チューナ１０３およびチューナ１３６で選局されたチャンネル番号は一例である。
【００９５】
また、上記ＤＶＤレコーダ１０１において、データ出力Ｉ／Ｆ１０９から映像音声データの出力を開始する実際のタイミングは、出力開始通知コマンドの送信と同時でも構わないし、テレビ１３１における映像音声データの入力先がＤＶＤレコーダ１０１に切り換わった（即ち、スイッチ１３７の入力経路がデータ入力Ｉ／Ｆ１３９に切り換わった）時点でも構わない。さらに、映像音声データをデータ出力Ｉ／Ｆ１０９から常時出力するようにしても構わない。
【００９６】
（実施の形態２）
上記実施の形態１では、テレビ１３１からＤＶＤレコーダ１０１に「出力開始指示コマンド」を送信した後に「選局コマンド」を送信する実施例について説明したが、本実施の形態では、先に「選局コマンド」を送信し、その後に「出力開始指示コマンド」を送信する実施例について説明する。なお、本実施の形態に係るテレビ１３１及びＤＶＤレコーダ１０１の機能構成は、基本的に上記実施の形態１に係るものと同じである。
【００９７】
図４は、本実施の形態に係る、テレビ１３１において外部入力用の機器としてＤＶＤレコーダ１０１を選択した時のテレビ１３１およびＤＶＤレコーダ１０１の動作を示す通信シーケンス図である。
【００９８】
まず、初期状態として、テレビ１３１の映像音声データの入力経路は、チューナ１３６に設定されており、チューナ１３６で受信したＴＶ放送を視聴しているものとする。このとき、チューナ１３６ではチャンネルとして「１０ｃｈ」が選局されているものとする。
【００９９】
また、ＤＶＤレコーダ１０１は、再生も記録も行っておらず、スイッチ１０８はチューナ１０３に接続されているものとし、チューナ１０３ではチャンネルとして「４ｃｈ」が選局されているものとする。
【０１００】
最初に、テレビ１３１において、ユーザから外部入力用の機器として「ＤＶＤレコーダ」が選択されると（Ｓｔｅｐ４００）、ＤＶＤレコーダ１０１に対して選局コマンドを送信する（Ｓｔｅｐ４０１）。このとき、選局コマンドには、チューナ１３６で選局されているチャンネル情報（図４の例では１０ｃｈ）がパラメータとして含まれている。
【０１０１】
次に、ＤＶＤレコーダ１０１は、選局コマンドを受信すると、選局コマンドに含まれるチャンネル情報（１０ｃｈ）に応じてチューナ１０３の選局を変更する（Ｓｔｅｐ４０２）。
【０１０２】
さらに、テレビ１３１は、上記選局コマンドを送信してから一定時間（例えば、０．１秒）経過後、ＤＶＤレコーダ１０１に「出力開始指示コマンド」を送信する（Ｓｔｅｐ４０３）。ＤＶＤレコーダ１０１は、出力開始指示コマンドを受け取ると、テレビ１３１に出力開始通知コマンドを返信する（Ｓｔｅｐ４０４）。
【０１０３】
出力開始通知コマンドを受信したテレビ１３１は、スイッチ１３７の入力経路をデータ入力Ｉ／Ｆ１３９に切り換え（Ｓｔｅｐ４０５）、ＤＶＤレコーダ１０１に入力経路の切換が完了したことを示す「切換完了コマンド」を送信する（Ｓｔｅｐ４０６）。
【０１０４】
この後、ＤＶＤレコーダ１０１は、テレビ１３１に映像音声データを送信する（Ｓｔｅｐ４０７）。なお、上記のテレビ１３１からＤＶＤレコーダ１０１への切換完了コマンドの送信（Ｓｔｅｐ４０６）は、省略してもよい。
【０１０５】
以上の動作において、テレビ１３１に表示される画面は、上記実施の形態１と同様の図３のようになる。すなわち、初期状態では、テレビ１３１には内蔵するチューナ１３６で受信した番組（１０ｃｈ）が表示されており、ユーザからＤＶＤレコーダ１０１が外部入力用の機器として選択されると、ＤＶＤレコーダ１０１のチューナ１０３の選局がテレビ１３１と同じ「１０ｃｈ」に変更される（図４のＳｔｅｐ４０２）と共に、テレビ１３１の入力経路がＤＶＤレコーダ１０１に切り換わる（図４のＳｔｅｐ４０５）。
【０１０６】
以上のように、チューナを有する外部入力用の機器を切り換えた場合でも、元々テレビ１３１で視聴していた番組を継続して視聴することができるようになる。
【０１０７】
なお、上記図４の通信シーケンス図において、チューナ１０３およびチューナ１３６で選局される番組は別のチャンネルであっても構わない。
【０１０８】
また、ＤＶＤレコーダ１０１における、データ出力Ｉ／Ｆ１０９から映像音声データの出力を開始する実際のタイミングは、出力開始通知コマンドの送信と同時でも構わないし、出力開始通知コマンドの送信から一定時間経過後でも構わないし、テレビ１３１における映像音声データの入力先がＤＶＤレコーダ１０１に切り替わった（すなわちスイッチ１３７の入力経路がデータ入力Ｉ／Ｆ１３９に切り替わった）時点でも構わないし、もしくは映像音声データをデータ出力Ｉ／Ｆ１０９に常時出力していても構わない。
【０１０９】
（実施の形態３）
上記実施の形態１および実施の形態２では、テレビ１３１において、その入力経路を内蔵するチューナ１３６からＤＶＤレコーダ１０１に切り換えた場合でも継続して同じ番組を視聴し得る実施例について説明したが、本実施の形態では、逆に、ＤＶＤレコーダ１０１から当該テレビ１３１が内蔵するチューナ１３６に入力経路を切り換えた場合においても、継続して同じ番組を視聴し得る実施例について説明する。なお、本実施の形態に係るテレビ１３１及びＤＶＤレコーダ１０１の各部は、上記実施の形態１における各機能に加え、さらに、以下の機能を有する。
【０１１０】
制御部１３４は、操作入力部１３８を介して、ＤＶＤレコーダからテレビに（即ち、データ入力Ｉ／Ｆ１３９からチューナ１３６に入力経路を）切り換える指示を受け付けると、スイッチ１３７に対して、チューナ１３６に入力経路を切り換えるように指示する。その際、制御部１３４は、コマンド入出力Ｉ／Ｆ１４０を介してＤＶＤレコーダ１０１に「選局送信指示コマンド」を送信し、コマンド入出力Ｉ／Ｆ１４０を介して「選局コマンド」をＤＶＤレコーダ１０１から受信する。この選局コマンドには、ＤＶＤレコーダ１０１のチューナ１０３において選局されていたチャンネルを示すチャンネル情報が含まれている。さらに、制御部１３４は、ＤＶＤレコーダ１０１から受信した選局コマンドに含まれているチャンネル情報に基づいて選局を変更するようにチューナ１３６に指示する。
【０１１１】
図５は、本実施の形態に係るテレビ１３１において、外部入力用のＤＶＤレコーダ１０１から内蔵するチューナ１３６に入力経路を切り換えた時のテレビ１３１およびＤＶＤレコーダ１０１の動作を示す通信シーケンス図である。
【０１１２】
まず、初期状態として、テレビ１３１の映像音声データの入力経路は、ＤＶＤレコーダ１０１に設定されており、テレビ１３１は、ＤＶＤレコーダ１０１のチューナ１０３で受信したＴＶ放送を視聴しているものとする（Ｓｔｅｐ５００）。このとき、チューナ１０３では、チャンネルとして「１０ｃｈ」が選局されているものとする。
【０１１３】
また、テレビ１３１のスイッチ１３７は、データ入力Ｉ／Ｆ１３９に接続されているものとし、チューナ１３６では、チャンネルとして「４ｃｈ」が選局されているものとする。
【０１１４】
最初に、テレビ１３１において、ユーザから入力経路として「テレビ」が選択されると（Ｓｔｅｐ５０１）、制御部１３４は、ＤＶＤレコーダ１０１に対して「選局送信指示コマンド」を送信する（Ｓｔｅｐ５０２）。
【０１１５】
これにより、ＤＶＤレコーダ１０１の制御部１０２は、チューナ１０３に設定されている「ＣＨ＝１０」を示すチャンネル情報を含む選局コマンドを生成し、生成した選局コマンドをテレビ１３１（即ち、コマンド入出力Ｉ／Ｆ１１０）に送信する（Ｓｔｅｐ５０３）。
【０１１６】
ＤＶＤレコーダ１０１から選局コマンドを受信したテレビ１３１は、受信した選局コマンドに含まれるチャンネル情報に基づいて、チューナ１３６の選局を「１０ｃｈ」に変更し（Ｓｔｅｐ５０４）、スイッチ１３７の入力経路をチューナ１３６に切り換える（Ｓｔｅｐ５０５）。
【０１１７】
以上の動作において、テレビ１３１の入力経路を「ＤＶＤレコーダ」から「テレビ」（即ち、内蔵するチューナ１３６）に変更した場合でも、ＤＶＤレコーダ１０１で視聴されていた番組を継続して視聴することが可能となる。
【０１１８】
なお、上記図５の通信シーケンス図においても、チューナ１０３およびチューナ１３６で選局されている番組は、上記の実施例とは別のチャンネルであっても構わない。
【０１１９】
さらに、上記実施の形態１〜３におけるＤＶＤレコーダ１０１は、外部入力用の機器と接続するための外部入力Ｉ／Ｆを保有し、外部入力用の機器から入力した映像音声データと、チューナ１０３で受信したＴＶ放送とを切り換えられるようになっていてもよい。
【０１２０】
また、上記実施の形態１〜３に係るＤＶＤレコーダ１０１で記録再生する記録媒体は、ＤＶＤ−ＲＡＭディスクではなく、ＤＶＤ−Ｒディスクなど他のリムーバブルメディアや、ハードディスクのような固定メディアであってもよいし、一種類もしくは複数種類の記録媒体の記録再生を行える記録再生装置であってもよい。また、ＤＶＤレコーダの代わりに、エンコーダを有せず、ＤＶＤ−ＲＡＭなどの記録メディアの再生のみを行うＤＶＤプレーヤなどの再生専用装置であってもよい。
【０１２１】
また、本発明に係る記録再生装置は、記録機能を有するＤＶＤレコーダ１０１ではなく、記録機能を有しないＤＶＤプレーヤやセットトップボックスであっても構わない。
【０１２２】
また、テレビ１３１には、データ入力Ｉ／Ｆが一つ備わっているとしたが、二つ以上備わっていてもよい。これらのデータ入力Ｉ／Ｆは、同一の種類であってもよいし、異なっていてもよい。さらに、データ入力Ｉ／Ｆに同時に接続できる機器は１台であってもよいし、複数台であってもよい。要するに、コマンド入出力Ｉ／Ｆ１４０で受け取ったコマンドの送信元の機器が特定でき、かつテレビ１３１の入力経路をコマンドの送信元の機器に切り換えられる形態であればよい。
【０１２３】
また、データ用ケーブル１２２およびコマンド用ケーブル１２３は、一本のケーブル、もしくは複数本のケーブルであってもよいし、複数本の信号線を束ねて一本のケーブルにしたものでもよい。また、ケーブルではなく、赤外線などの無線信号で伝送するようになっていてもよい。
【０１２４】
なお、本発明は、図１に示すように、上記放送番組表示装置における特徴的な構成手段を備える集積回路１４１（一点鎖線で囲った範囲）として実現したり、上記記録再生装置における特徴的な構成手段を備える集積回路１１４（一点鎖線で囲った範囲）として実現することができる。
【産業上の利用可能性】
【０１２５】
本発明は、放送番組表示装置（テレビ）における映像音声データの入力先を記録再生装置に切り換えた時に、記録再生装置で、それまで放送番組表示装置で視聴していたものと同じ番組を自動的に視聴できるようにする放送番組表示装置を提供することができる。
【図面の簡単な説明】
【０１２６】
【図１】図１は、実施の形態１の放送番組表示システムにおけるテレビおよびＤＶＤレコーダの機能構成の一例を示すブロック図である。
【図２】図２は、実施の形態１におけるテレビにおいて、外部入力用の機器としてＤＶＤレコーダを選択した時のテレビおよびＤＶＤレコーダの動作を示す通信シーケンス図である。
【図３】図３は、実施の形態１におけるテレビの表示部に表示される画面の遷移例を示す図である。
【図４】図４は、実施の形態２におけるテレビにおいて、外部入力用の機器としてＤＶＤレコーダを選択した時のテレビおよびＤＶＤレコーダの動作を示す通信シーケンス図である。
【図５】図５は、実施の形態３におけるテレビにおいて、外部入力用の機器としてＤＶＤレコーダを選択した時のテレビおよびＤＶＤレコーダの動作を示す通信シーケンス図である。
【符号の説明】
【０１２７】
１００    放送番組表示システム
１０１    ＤＶＤレコーダ
１０２    制御部
１０３    チューナ
１０４    記録再生部
１０５    エンコーダ
１０６    デコーダ
１０７    操作入力部
１０８    スイッチ
１０９    データ出力Ｉ／Ｆ
１１０    コマンド出力Ｉ／Ｆ
１１１    ＤＶＤ−ＲＡＭディスク
１１２    データ処理部
１１３    アンテナ
１１４    集積回路
１２１    アンテナ
１２２    データ用ケーブル
１２３    コマンド用ケーブル
１３１    テレビ
１３２    表示部
１３３    スピーカ
１３４    制御部
１３５    データ処理部
１３６    チューナ
１３７    スイッチ
１３８    操作入力部
１３９    データ入力Ｉ／Ｆ
１４０    コマンド入力Ｉ／Ｆ
１４１    集積回路
【手続補正３】
【補正対象書類名】図面
【補正対象項目名】全図
【補正方法】変更
【補正の内容】
【図１】
2007097355.tif 000008
【図２】
2007097355.tif 000009
【図３】
2007097355.tif 000010
【図４】
2007097355.tif 000011
【図５】
2007097355.tif 000012
【国際調査報告】
2007097355.tif 000013
2007097355.tif 000014
2007097355.tif 000015